(57)【特許請求の範囲】
【請求項１】
複数のコンポーネントキャリアを使用して無線端末に対してサービスを提供する無線基地局であって、
前記無線端末との無線通信に係わるスケジューリング処理において、前記複数のコンポーネントキャリアのうち送信電力のダイナミックレンジの下限値が低いコンポーネントキャリアを前記無線端末に対して優先的に割り当てる制御部と、
前記割り当てられたコンポーネントキャリアを用いて前記無線端末に無線信号を伝送する伝送部と
を有する、無線基地局。
【請求項２】
前記割り当てられたコンポーネントキャリアを用いた無線信号の伝送を開始する前に、前記割り当てられたコンポーネントキャリアに関する情報を含む設定情報を前記無線端末に送信する設定情報送信部
を有する、請求項１に記載の無線基地局。
【請求項３】
前記複数のコンポーネントキャリアの送信電力のダイナミックレンジの下限値を略同一とする第１の動作状態と、前記複数のコンポーネントキャリアのうち一部のコンポーネントキャリアの送信電力のダイナミックレンジの下限値を他のコンポーネントキャリアよりも低くする第２の動作状態とのいずれにすべきかを判定する動作状態判定部と、
前記第１の動作状態にある場合に前記第２の動作状態にすべきと判定されたとき、前記複数のコンポーネントキャリアのうち一部のコンポーネントキャリアの最大送信電力を低下させる送信電力制御部と
をさらに備え、
前記制御部は、前記第２の動作状態にある場合に、前記複数のコンポーネントキャリアのうち送信電力のダイナミックレンジの下限値が低いコンポーネントキャリアを前記無線端末に対して優先的に割り当てる、請求項１又は２に記載の無線基地局。
【請求項４】
第１の動作状態にある場合、一つの無線端末に対して複数のコンポーネントキャリアを割り当てるキャリアアグリゲーションを用いた無線通信を許容し、第２の動作状態にある場合、前記キャリアアグリゲーションを用いた無線通信を抑制する、抑制部
を有する、請求項１ないし３のいずれか１項に記載の無線基地局。
【請求項５】
前記制御部は、前記複数のコンポーネントキャリアのうち送信電力のダイナミックレンジの下限値が低いコンポーネントキャリアを前記無線端末に対して優先的に割り当てる処理として、送信電力の上限である最大送信電力が低いコンポーネントキャリアを優先的に無線端末に割り当てるようにスケジューリングする、請求項１ないし４のいずれか１項に記載の無線基地局。
【請求項６】
上位の装置からの制御信号を受信するインタフェース
を有し、
前記動作状態判定部は、前記第２の動作状態にすべきか否かの判定において、前記上位の装置からの制御信号と、他の無線基地局からの制御信号と、該他の無線基地局のトラフィックを表す情報とのうち少なくともいずれかを参照する、請求項３に記載の無線基地局。
【請求項７】
複数のコンポーネントキャリアを使用して無線端末に対してサービスを提供する無線基地局において無線信号を送受信する無線装置と接続され、前記無線信号のベースバンド成分に関する処理を行うベースバンド処理装置であって、
前記無線端末との無線通信に係わるスケジューリング処理において、前記複数のコンポーネントキャリアのうち、送信電力のダイナミックレンジの下限値が低いコンポーネントキャリアを前記無線端末に対して優先的に割り当てる制御部
を有し、
前記無線装置に、前記割り当てられたコンポーネントキャリアを用いて前記無線端末に無線信号を伝送させる、ベースバンド処理装置。
【請求項８】
複数のコンポーネントキャリアを使用して無線端末に対してサービスを提供する無線基地局における制御方法であって、
前記無線端末との無線通信に係わるスケジューリング処理において、前記複数のコンポーネントキャリアのうち、送信電力のダイナミックレンジの下限値が低いコンポーネントキャリアを前記無線端末に対して優先的に割り当て、
前記割り当てられたコンポーネントキャリアを用いて前記無線端末に無線信号を伝送する制御方法。
【発明の詳細な説明】
【技術分野】
【０００１】
本発明は、無線通信システムに関する。
【背景技術】
【０００２】
ＬＴＥ−Ａｄｖａｎｃｅｄの技術の１つとして、キャリアアグリゲーション（ＣＡ：  Ｃａｒｒｉｅｒ  Ａｇｇｒｅｇａｔｉｏｎ）が知られている（例えば、特許文献１、２参照）。
【０００３】
キャリアアグリゲーションは、複数のコンポーネントキャリア（ＣＣ：  Ｃｏｍｐｏｎｅｎｔ  Ｃａｒｒｉｅｒ）を用いることで２０ＭＨｚ以上の広帯域で通信を行う技術である。キャリアアグリゲーションは、ピークレートを向上させることを目的としている。コンポーネントキャリアは、単に、「キャリア」と呼ばれてもよい。
【０００４】
図１は、キャリアアグリゲーションを運用する無線通信システムの一例を示す。図１に示される無線通信システムでは、２個のコンポーネントキャリアが運用される。２個のコンポーネントキャリアは、コンポーネントキャリアＡ、コンポーネントキャリアＢと表される。コンポーネントキャリアＡで運用されるセルのセル半径は、コンポーネントキャリアＢで運用されるセルのセル半径よりも長い。セル半径の違いは、最大送信電力の違いに起因する。
【０００５】
図１に示される例では、コンポーネントキャリアＡで運用されるエリアの一部と、コンポーネントキャリアＢで運用されるエリアとが重複する。従って、コンポーネントキャリアＢで運用されるエリアに位置する無線端末は、コンポーネントキャリアＡ、コンポーネントキャリアＢの２個のコンポーネントキャリア分の帯域を使用できる。また、コンポーネントキャリアＡで運用されるエリアのうち、コンポーネントキャリアＢで運用されるエリア以外のエリアに位置する無線端末は、コンポーネントキャリアＡの帯域を使用できる。つまり、コンポーネントキャリアＢでカバーできないコンポーネントキャリアＡで運用されるエリアに位置する無線端末は、コンポーネントキャリアＡの帯域を使用できる。
【０００６】
一般的に、送信電力・帯域のリソースの割り当てに関しては、無線基地局は、無線端末に対して、データレートが最大になるように割り当てることが望ましい。送信電力の割り当てについては、最大送信電力以内であれば、特に制限を設ける必要がないため、無線基地局は、常に最大送信電力を割り当てる可能性がある。
【先行技術文献】
【特許文献】
【０００７】
【特許文献１】特開２０１０−２６３２５６号公報
【特許文献２】特開２０１１−１７６６８７号公報
【非特許文献】
【０００８】
【非特許文献１】３ＧＰＰ  ＴＳ３６．２１３  Ｖ１０．４．０  ２０１１．１２
【非特許文献２】３ＧＰＰ  ＴＳ３６．３００  Ｖ１１．０．０  ２０１１．１２
【発明の概要】
【発明が解決しようとする課題】
【０００９】
アンテナ近傍等の強電界領域では、所要ＳＩＲ（Ｓｉｇｎａｌ−ｔｏ−Ｉｎｔｅｒｆｅｒｅｎｃｅ  Ｒａｔｉｏ）を満たす送信電力が、無線基地局の送信出力のダイナミックレンジの下限を下回る場合がある。無線基地局は、無線端末へ、ダイナミックレンジの下限値の送信電力を割り当てることがある。つまり、所要ＳＩＲを満たす送信電力を割り当てれば十分であるにもかかわらず、無線基地局の送信出力のダイナミックレンジの下限値が割り当てられる。この場合、送信出力のダイナミックレンジの下限値と、所要ＳＩＲを満たす送信電力との間の差分電力は無駄な消費電力となる。
【００１０】
開示の無線基地局は、消費電力を低減することを目的とする。
【課題を解決するための手段】
【００１１】
開示の一実施例の無線基地局は、
複数のコンポーネントキャリアを使用して無線端末に対してサービスを提供する無線基地局であって、
前記無線端末との無線通信に係わるスケジューリング処理において、前記複数のコンポーネントキャリアのうち送信電力のダイナミックレンジの下限値が低いコンポーネントキャリアを前記無線端末に対して優先的に割り当てる制御部と、
前記割り当てられたコンポーネントキャリアを用いて前記無線端末に無線信号を伝送する伝送部と
を有する。
【発明の効果】
【００１２】
開示の実施例によれば、消費電力を低減することができる。
【図面の簡単な説明】
【００１３】
【図１】無線通信システムの一例を示す図である。
【図２】送信電力の設定例を示す図である。
【図３】無線通信システムの一実施例を示す図である。
【図４】無線基地局の一実施例を示す図である。
【図５】無線基地局の一実施例を示す機能ブロック図である。
【図６】無線通信システムにおける最大送信電力制御の一実施例を示す図である。
【図７】無線通信システムにおける最大送信電力制御の一実施例を示す図である。
【図８】無線基地局の一実施例における動作状態の設定例を示す図である。
【図９】無線基地局の一実施例における節電モード切替判定回路を示す図である。
【図１０】無線基地局の一実施例におけるウェイト選択部の動作を示す図である。
【図１１】無線基地局の一実施例における閾値比較部の動作を示す図である。
【図１２】無線基地局の一実施例における送信電力制御を示す図である。
【図１３】無線基地局の一実施例を示す機能ブロック図である。
【図１４】割り当てるキャリアの優先順位の一例を示す図である。
【図１５】無線基地局の動作の一実施例を示すフローチャートである。
【図１６】無線基地局の動作の一実施例を示すフローチャートである。
【図１７】無線基地局の一実施例を示す機能ブロック図である。
【図１８】無線基地局の動作の一実施例を示すフローチャートである。
【図１９】動作フローの切り替えの一例を示す図である。
【図２０】動作フローの切り替えの一例を示す図である。
【図２１】複数の無線基地局を含む無線通信システムの一実施例を示す図である。
【図２２】無線基地局の一実施例を示す図である。
【図２３】パラメータＤに含まれる情報の一例を示す図である。
【図２４】セル運用形態変更テーブルの一実施例を示す図である。
【図２５】無線通信システムの最大送信電力制御の一実施例を示す図である。
【図２６】無線通信システムの最大送信電力制御の一実施例を示す図である。
【図２７】無線通信システムの動作の一実施例を示す図である。
【図２８】無線基地局の一実施例を示す図である。
【図２９】最大送信電力の制御の一例を示す図である。
【図３０】無線通信システムの動作の一実施例を示すフローチャートである。
【図３１】複数の無線基地局を含む無線通信システムの一実施例を示す図である。
【図３２】無線通信システムの動作の一実施例を示すフローチャートである。
【図３３】無線通信システムの動作の一実施例を示すフローチャートである。
【図３４】無線基地局の一実施例を示す図である。
【図３５】無線通信システムの動作の一実施例を示すフローチャートである。
【図３６】無線通信システムの動作の一実施例を示すフローチャートである。
【図３７】セル運用形態候補選択テーブルの一例を示す図である。
【図３８】無線通信システムの動作の一実施例を示すフローチャートである。
【発明を実施するための形態】
【００１４】
以下、図面に基づいて、実施例を説明する。
なお、実施例を説明するための全図において、同一機能を有するものは同一符号を用い、繰り返しの説明は省略する。
【００１５】
＜無線通信システム＞
無線通信システムは、無線基地局１００を有する。
【００１６】
無線基地局１００は、各コンポーネントキャリアへ送信電力を設定する。
【００１７】
図２は、各コンポーネントキャリアへの送信電力の設定例を示す。図２において、横軸は周波数、縦軸は送信電力である。
【００１８】
図２には、コンポーネントキャリアＡ、コンポーネントキャリアＢについての送信電力の設定例が示される。コンポーネントキャリアＡのダイナミックレンジの下限値は「ＣＣ  Ａ  ｍｉｎ」により示される。コンポーネントキャリアＢのダイナミックレンジの下限値は「ＣＣ  Ｂ  ｍｉｎ」により示される。ある無線端末が所要ＳＩＲを満たす送信電力を「ＳＩＲ  Ｐｏｗｅｒ」により表す。
【００１９】
ダイナミックレンジの下限値は、最大送信電力の設定値に応じて異なる。無線基地局１００には、無線装置と、無線制御装置とが含まれるが、無線装置と、無線制御装置との間を接続するインタフェースの規格により、ダイナミックレンジの制御に利用できるデータ長に制約があるためである。無線装置と、無線制御装置との間を接続するインタフェースには、ＣＰＲＩ（Ｃｏｍｍｏｎ  Ｐｕｂｌｉｃ  Ｒａｄｉｏ  Ｉｎｔｅｒｆａｃｅ）が含まれる。ダイナミックレンジの制御に利用できるデータ長は、１５ビットであってもよい。
【００２０】
例えば、図２に示されるように、「ＳＩＲ  Ｐｏｗｅｒ」は、「ＣＣ  Ｂ  ｍｉｎ」≦「ＳＩＲ  Ｐｏｗｅｒ」＜「ＣＣ  Ａ  ｍｉｎ」である。この場合、コンポーネントキャリアＡを割り当てられたある無線端末へ、「ＣＣ  Ａ  ｍｉｎ」が設定される場合がある。また、コンポーネントキャリアＢを割り当てられたある無線端末へ、「ＳＩＲ  Ｐｏｗｅｒ」が設定される場合がある。これら場合、コンポーネントキャリアＡにおいては、ある無線端末へ、「ＳＩＲ  Ｐｏｗｅｒ」が設定されれば十分であるにも関わらず、「ＣＣ  Ａ  ｍｉｎ」が設定されるため、「ＣＣ  Ａ  ｍｉｎ」−「ＳＩＲ  Ｐｏｗｅｒ」は、無駄な消費電力となる。つまり、「ＣＣ  Ａ  ｍｉｎ」−「ＳＩＲ  Ｐｏｗｅｒ」は、無線端末へ割り当てる必要がなかった送信電力である。
【００２１】
送信電力の大きい無線端末と、小さい無線端末とが混在した環境で使用される無線基地局について説明する。
【００２２】
送信電力の差が大きい程ダイナミックレンジの観点においては、高いビット精度が要求される。高いビット精度が要求されるため、装置の規模が増大したり、回路規模が増大したりする。逆に、チャネル毎の送信電力の差が小さい程、回路規模は小さくなる。
【００２３】
図３は、無線通信システムの一実施例を示す。
【００２４】
無線通信システムは、無線基地局１００と、無線端末２００とを有する。無線基地局１００は、キャリアアグリゲーションを利用してサービスを提供する。キャリアアグリゲーションは、複数のコンポーネントキャリアを用いることで２０ＭＨｚ以上の広帯域で通信を行う技術である。キャリアアグリゲーションを利用することにより、ピークレートを向上させることができる。
【００２５】
無線基地局１００によりカバーされるセルには、コンポーネントキャリアＡで運用するセルと、コンポーネントキャリアＢで運用するセルとが含まれる。図３には、コンポーネントキャリアＡで運用する３個のセルと、コンポーネントキャリアＢで運用する３個のセルとが示される。無線基地局１００は、コンポーネントキャリアＡで、１、２個のセルを運用するようにしてもよいし、４個以上のセルを運用するようにしてもよい。無線基地局１００は、コンポーネントキャリアＢで、１、２個のセルを運用するようにしてもよいし、４個以上のセルを運用するようにしてもよい。
【００２６】
また、図３では、コンポーネントキャリアＢで運用されるセルの領域は、コンポーネントキャリアＡで運用されるセルの領域に含まれる。
【００２７】
＜無線基地局１００＞
図４は、無線基地局１００の一実施例を示す。図４には、主に、無線基地局１００のハードウェア構成が示される。
【００２８】
無線基地局１００は、インタフェース１０１と、ＣＰＵ１０２と、無線制御装置（ＲＥＣ：  Ｒａｄｉｏ  Ｅｑｕｉｐｍｅｎｔ  Ｃｏｎｔｒｏｌ）１０４ｎ（ｎは、ｎ＞０の整数）と、無線装置（ＲＥ：  Ｒａｄｉｏ  Ｅｑｕｉｐｍｅｎｔ）１１２ｎとを有する。図４には、一例として、ｎ＝３の場合について示す。ｎは、１、２であってもよいし、４以上であってもよい。
【００２９】
無線制御装置１０４ｎは、ベースバンド処理装置（ＢＢＵ：  Ｂａｓｅ  Ｂａｎｄ  Ｕｎｉｔ）と呼ばれてもよい。無線制御装置１０４ｎは、ブレードとして製品化されてもよいし、半導体集積回路として製品化されてもよい。半導体集積回路として製品化される場合には、１又は複数の半導体チップとして製品化されてもよい。無線装置１１２ｎは、リモートレディオヘッド（ＲＲＨ：  Ｒｅｍｏｔｅ  Ｒａｄｉｏ  Ｈｅａｄ）と呼ばれてもよい。
【００３０】
無線制御装置１０４１、及び無線装置１１２１により１又は複数のセルが形成され、無線制御装置１０４２、及び無線装置１１２２により１又は複数のセルが形成され、無線制御装置１０４３、及び無線装置１１２３により１又は複数のセルが形成される。
【００３１】
インタフェース１０１は、ネットワーク又は他の無線基地局との間のインタフェースである。
【００３２】
ＣＰＵ１０２は、インタフェース１０１と接続され、呼処理に関する制御を行う。
【００３３】
無線制御装置１０４ｎは、ＣＰＵ１０２と接続される。無線制御装置１０４ｎは、ベースバンド処理を行う。
【００３４】
無線制御装置１０４ｎは、ＤＳＰ１０６ｎと、ＣＰＵ１０８ｎと、記憶部１０９ｎと、ＩＦ１１０ｎとを有する。
【００３５】
ＤＳＰ１０６ｎは、１又は複数のコアプロセッサを有する。無線制御装置１０４ｎの一実施例では、ＤＳＰ１０６ｎは４個のコアプロセッサを有する。つまり、ＤＳＰ１０６ｎは、ＤＳＰ１０６ｎ１、１０６ｎ２、１０６ｎ３、及び１０６ｎ４を含む。例えば、ＤＳＰ１０６ｎ１は、呼処理を行う。ＤＳＰ１０６ｎ２は、レイヤー１に関する処理を行う。ＤＳＰ１０６ｎ３は、レイヤー２に関する処理を行う。ＤＳＰ１０６ｎ４は、レイヤー３に関する処理を行う。
【００３６】
ＣＰＵ１０８ｎは、ＤＳＰ１０６ｎと接続される。ＣＰＵ１０８ｎは、１又は複数のコアプロセッサを有する。無線制御装置１０４ｎの一実施例では、ＣＰＵ１０８ｎは４個のコアプロセッサを有する。つまり、ＣＰＵ１０８ｎは、ＣＰＵ１０８ｎ１、１０８ｎ２、１０８ｎ３、及び１０８ｎ４を含む。例えば、ＣＰＵ１０８ｎ１は、スケジューリング処理を行う。ＣＰＵ１０８ｎ２は、節電に関する処理を行う。つまり、ＣＰＵ１０８ｎ２は、動作状態を制御する。ＣＰＵ１０８ｎ３は、送信電力制御を行う。ＣＰＵ１０８ｎ４は、モード変更に利用するパラメータを取得する処理を行う。
【００３７】
記憶部１０９ｎは、ＤＳＰ１０６ｎと、ＣＰＵ１０８ｎと接続される。記憶部１０９ｎには、アプリケーションと、オペレーティングシステム（ＯＳ：  Ｏｐｅｒａｔｉｎｇ  Ｓｙｓｔｅｍ）とが格納される。アプリケーションは、無線基地局１００の処理を実行する機能を有するソフトウェアである。オペレーティングシステムは、無線基地局１００において、ハードウェアを抽象化したインタフェースをアプリケーションソフトウェアに提供するソフトウェアである。
【００３８】
ＩＦ１１０ｎは、ＤＳＰ１０６ｎと接続される。ＩＦ１１０ｎは、無線装置１１２ｎとの間のインタフェースである。ＩＦ１１０ｎは、例えば、ＣＰＲＩに従って、無線装置１１２ｎと接続される。
【００３９】
無線装置１１２ｎは、無線信号を送信する処理を行う。
【００４０】
無線装置１１２ｎは、ＩＦ１１４ｎと、無線モジュール１１６ｎと、アンテナ１１８ｎとを有する。
【００４１】
ＩＦ１１４ｎは、無線制御装置１０４ｎとの間のインタフェースである。ＩＦ１１４ｎは、例えば、ＣＰＲＩに従って、無線制御装置１０４ｎと接続される。
【００４２】
無線モジュール１１６ｎは、ＩＦ１１４ｎと接続される。無線モジュール１１６ｎは、無線端末２００へ送信する無線信号を生成したり、無線端末２００からの無線信号を受信したりする。
【００４３】
アンテナ１１８ｎは、無線モジュール１１６ｎと接続される。アンテナ１１８ｎは、無線端末２００へ無線信号を送信したり、無線端末２００からの無線信号を受信したりする。
【００４４】
＜無線基地局１００の機能＞
無線基地局１００の機能の一実施例について説明する。
【００４５】
無線基地局１００は、コンポーネントキャリアＡでセルＡを運用するとともに、コンポーネントキャリアＢでセルＢを運用する。無線基地局１００は、消費電力を低減するように制御する際、セルＡのセル半径より、セルＢのセル半径が短くなるように設定する。具体的には、無線基地局１００は、セルＢの最大送信電力を低下させる。つまり、無線基地局１００は、セルＢの送信電力の上限を低下させる。無線基地局１００は、セルＢへ、無線端末２００を優先的に割り当てる。セルＢへ無線端末２００を優先的に割り当てることにより、セルＢで無線通信を行う無線端末が増加する。セルＢの最大送信電力の方が、セルＡの最大送信電力よりも低いため、セルＢの送信電力のダイナミックレンジの下限値の方が低くなる。このため、セルＡで無線通信を行う無線端末に割り当てられる送信電力よりも、セルＢで無線通信を行う無線端末に割り当てられる送信電力の方が低い場合が多いと想定される。具体的には、無線端末が所要ＳＩＲを満たす送信電力よりも、ダイナミックレンジの下限値が上回ることを低減できる。このため、無線端末が強電界領域に位置する場合でも、所要ＳＩＲを満たす送信電力を割り当てることができる。従って、無線通信システム全体の消費電力を低減できる。
【００４６】
無線基地局１００の一実施例では、セルＢへ、無線端末２００を優先的に割り当てること等により消費電力を低減するように制御する動作するモードを「節電モード」と呼ぶ。また、「節電モード」に対して、通常の動作を行うモードを「通常モード」と呼ぶ。
【００４７】
図５は、無線基地局１００の機能の一実施例を示す機能ブロック図である。この機能ブロック図により表される機能は、主に、ＣＰＵ１０８ｎにより実行される。つまり、図５の機能ブロック図により表される機能は、記憶部１０９ｎに記憶されたアプリケーションに従ってＣＰＵ１０８ｎにより実行される。また、この機能ブロック図により表される機能は、ＣＰＵ１０８ｎの内部に記憶されたアプリケーション（ファームウェア）に従ってＣＰＵ１０８ｎにより実行されてもよい。
【００４８】
ＣＰＵ１０８ｎは、動作状態制御部５０２として機能する。具体的には、ＣＰＵ１０８ｎ２は、動作状態制御部５０２として機能する。動作状態制御部５０２は、節電モードに切り替えるか否かを判定する。動作状態制御部５０２は、スケジューラ５０４へ、節電モードに切り替えるか否かの判定結果（以下、「節電モード切替情報」という）を入力する。
【００４９】
動作状態制御部５０２には、トラフィック情報、電力リソース情報、給電状態情報、制御情報、節電要求情報、モード切替情報、外部電源供給情報が入力される。さらに、無線基地局１００の有するアンテナ数を表す情報が入力されてもよい。
【００５０】
トラフィック情報は、ユーザリソースの監視結果を示す。つまり、トラフィック情報は、無線端末２００の数を表す。トラフィック情報は、無線端末２００の数の程度、例えば、大小により表されてもよい。
【００５１】
電力リソース情報は、無線端末２００に割り当てる送信電力を示す。電力リソース情報は、無線端末２００へ割り当てる送信電力の程度、例えば、高い送信電力を割り当てるか、低い送信電力を割り当てるかを表す。送信電力の高低は、無線端末２００がセル端にいるか否かを表す。
【００５２】
給電状態情報は、無線基地局１００をバックアップするシステムの状態を示す。つまり、給電状態情報は、バックアップするシステムへ給電されている電力が高いか低いかを示す。
【００５３】
制御情報は、他の装置からの制御情報である。他の装置は、無線基地局であってもよいし、上位の装置であってもよい。該制御情報には、他の装置からの節電モードへの変更を要求する節電モード変更要求情報が含まれる。節電モード変更要求情報は、無線基地局１００が遠隔操作される際に、該遠隔操作するために利用される装置から送信される制御情報であってもよい。該制御情報には、節電モードへの変更を要求する情報が含まれる。
【００５４】
モード切替情報は、無線基地局１００に取り付けられたモードスイッチが操作されることにより出力される制御情報である。該制御情報には、節電モードへの変更を要求する情報が含まれる。
【００５５】
外部電源供給情報は、外部から電源が供給されているか否かを表す。
【００５６】
動作状態制御部５０２は、各コンポーネントキャリアについて、最大送信電力を設定する。具体的には、動作状態制御部５０２は、通常モードの場合には、セルＡ、セルＢについて、カバー可能なセル全体をサポートできるように最大送信電力を設定する。つまり、通常モードでは、複数のコンポーネントキャリアについて、送信電力のダイナミックレンジの下限値が略同一である場合がある。動作状態制御部５０２は、節電モードに切り替えると判定した際に、セルＡについてはカバー可能なセル全体をサポートできるように最大送信電力を設定し、セルＢについてはカバー可能なセルの一部をサポートできるように最大送信電力を設定する。セルＡについてカバー可能なセルの広さと、セルＢについてカバー可能なセルの広さとは略同一であってもよいし、異なってもよい。つまり、節電モードでは、複数のコンポーネントキャリアの一部のコンポーネントキャリアの送信電力のダイナミックレンジの下限値が、他のコンポーネントキャリアよりも低い場合がある。
【００５７】
また、通常モードでは、１つの無線端末に対して、複数のコンポーネントキャリアを割り当てるキャリアアグリゲーションが許容されてもよい。また、節電モードでは、複数のコンポーネントキャリアを割り当てるキャリアアグリゲーションが抑制されてもよい。
【００５８】
動作状態制御部５０２は、コンポーネントキャリアＡ送信電力制御部５０６、及びコンポーネントキャリアＢ送信電力制御部５０８へ、最大送信電力を設定するための情報（以下、「最大送信電力設定情報」という）を入力する。
【００５９】
また、動作状態制御部５０２は、節電モードに切り替えると判定した際に、送信に利用するアンテナの数を制限するように制御してもよい。このようにすることにより、消費電力をさらに低減できる。
【００６０】
ＣＰＵ１０８ｎは、スケジューラ５０４として機能する。具体的には、ＣＰＵ１０８ｎ１は、スケジューラ５０４として機能する。スケジューラ５０４は、動作状態制御部５０２と接続される。スケジューラ５０４は、セルに、無線端末２００を割り当てるスケジューリングを行う。スケジューラ５０４は、動作状態制御部５０２からの節電モード切替情報に基づいて節電モードに切り替える際に、セルＢへ、優先的に無線端末２００を割り当てるようにスケジューリングする。つまり、スケジューラ５０４は、節電モードに切り替える場合には、主に、コンポーネントキャリアＢへ、無線端末２００を割り当てる。コンポーネントキャリアＢへ無線端末２００が割り当てられることにより、セルＡとセルＢの重複する領域に位置する無線端末は、主に、コンポーネントキャリアＢを利用して無線通信を行う。一方、セルＡの領域の、セルＡとセルＢの重複する領域以外の領域に位置する無線端末は、コンポーネントキャリアＡを利用して無線通信を行う。スケジューラ５０４は、コンポーネントキャリアＡ送信電力制御部５０６と、コンポーネントキャリアＢ送信電力制御部５０８へ、スケジューリングの結果を表す情報を入力する。
【００６１】
節電モードでは、セルＢには、最大セル半径の一部をサポート（カバー）できるように最大送信電力が設定される。従って、セルＡのダイナミックレンジの下限値よりも、セルＢのダイナミックレンジの下限値の方が低い値となることが想定される。セルＡへ、無線端末が割り当てられることにより、ダイナミックレンジの下限値とＳＩＲを満たす送信電力との差により表される無駄な消費電力が発生する場合がある。しかし、セルＢへ、無線端末が割り当てられることにより、無駄な消費電力の発生を低減できる。このため、無線通信システム全体の消費電力を低減できる。
【００６２】
ＣＰＵ１０８ｎは、コンポーネントキャリアＡ送信電力制御部５０６として機能する。具体的には、ＣＰＵ１０８ｎ３は、コンポーネントキャリアＡ送信電力制御部５０６として機能する。コンポーネントキャリアＡ送信電力制御部５０６は、動作状態制御部５０２と、スケジューラ５０４と接続される。
【００６３】
コンポーネントキャリアＡ送信電力制御部５０６は、コンポーネントキャリアＡを割り当てた無線端末の送信電力制御を行う。具体的には、コンポーネントキャリアＡ送信電力制御部５０６は、動作状態制御部５０２からの最大送信電力設定情報に基づいて、コンポーネントキャリアＡを割り当てた無線端末へ割り当てる送信電力を制御する。コンポーネントキャリアＡ送信電力制御部５０６は、無線端末の所要ＳＩＲを満たし、且つ最大送信電力が、コンポーネントキャリアＡのダイナミックレンジの範囲となるように制御する。コンポーネントキャリアＡ送信電力制御部５０６は、ＤＳＰ１０６ｎへ、無線端末２００へ割り当てた送信電力を表す情報を入力する。
【００６４】
ＣＰＵ１０８ｎは、コンポーネントキャリアＢ送信電力制御部５０８として機能する。具体的には、ＣＰＵ１０８ｎ３は、コンポーネントキャリアＢ送信電力制御部５０８として機能する。コンポーネントキャリアＢ送信電力制御部５０８は、動作状態制御部５０２と、スケジューラ５０４と接続される。
【００６５】
コンポーネントキャリアＢ送信電力制御部５０８は、コンポーネントキャリアＢを割り当てた無線端末の送信電力制御を行う。具体的には、コンポーネントキャリアＢ送信電力制御部５０８は、動作状態制御部５０２からの最大送信電力設定情報に基づいて、コンポーネントキャリアＢを割り当てた無線端末へ割り当てる送信電力を制御する。コンポーネントキャリアＢ送信電力制御部５０８は、無線端末の所要ＳＩＲを満たし、且つ最大送信電力が、コンポーネントキャリアＢのダイナミックレンジの範囲となるように制御する。コンポーネントキャリアＢ送信電力制御部５０８は、ＤＳＰ１０６ｎへ、無線端末２００へ割り当てた送信電力を表す情報を入力する。
【００６６】
図６は、通常モードでの、コンポーネントキャリアＡで運用されるセルＡと、コンポーネントキャリアＢで運用されるセルＢの一例を示す。通常モードでは、セルＡ、セルＢについて、カバー可能なセル全体をサポートできるように、最大送信電力が設定される。図６では、セルＡの領域と、セルＢの領域とが略同一に設定される。
【００６７】
図７は、節電モードでの、コンポーネントキャリアＡで運用されるセルＡと、コンポーネントキャリアＢで運用されるセルＢを示す。節電モードでは、セルＡについてはカバー可能なセル全体をサポートできるように最大送信電力が設定され、セルＢについてはカバー可能なセルの一部をサポートできるように最大送信電力が設定される。このため、セルＡよりも、セルＢが狭くなる。
【００６８】
＜節電モードに切り替えるか否かを判定する処理（その１）＞
図８は、動作状態制御部５０２により節電モードに切り替えるか否かが判定される際に利用される動作状態判定テーブルの一実施例を示す。つまり、動作状態制御部５０２は、動作状態判定テーブルに従って、節電モードに切り替えるか否かを判定する。
【００６９】
図８に示される動作状態判定テーブルには、動作状態制御部５０２へ入力される情報の内容の組み合わせと、節電モードに切り替えるか否かを表す情報とが対応付けられる。図８に示される動作状態判定テーブルでは、動作状態制御部５０２へ入力される７つの情報の組み合わせ１２８通りについて、節電モードに切り替えるか否かを表す情報が対応付けられる。１２８通りの組み合わせから、使用する組み合わせが予め設定されてもよい。
【００７０】
例えば、「項１」は、「トラフィック情報」が「小」、「電力リソース情報」が「低」、「給電状態情報」が「低」、「制御情報」が「要求あり」、「節電要求情報」が「要求あり」、「モード切替情報」が「要求あり」、「外部電源供給情報」が「供給なし」、の場合である。この場合、動作状態制御部５０２は、「節電モード切替情報」として、節電モードへ切り替えることを表す「ＯＮ」を出力する。
【００７１】
＜節電モードに切り替えるか否かを判定する処理（その２）＞
動作状態制御部５０２は、節電モードに切り替えるか否かを判定する際に、入力される情報に重み付けを行うようにしてもよい。つまり、動作状態制御部５０２は、重み付けされた情報に基づいて、節電モードに切り替えるか否かを判定する。
【００７２】
一例として、外部電源供給情報により、給電状態情報に対して重み付けを行う場合について説明する。他の情報に重み付けを行うようにしてもよい。
【００７３】
入力される情報（パラメータ）の内容を以下のように数値化する。
【００７４】
トラフィック情報については、「大」のとき「０」、「小」のとき「１」とする。電力リソース情報については、「高」のとき「０」、「低」のとき「１」とする。給電状態情報については、「低」のとき「０」、「高」のとき「１」とする。制御情報については、「要求なし」のとき「０」、「要求あり」のとき「１」とする。節電要求情報については、「要求なし」のとき「０」、「要求あり」のとき「１」とする。モード切替情報については、「要求なし」のとき「０」、「要求あり」のとき「１」とする。
【００７５】
さらに、入力されるパラメータのウェイトを数値化する。具体的には、トラフィック情報のウェイトを「Ｗ１」とし、電力リソース情報のウェイトを「Ｗ２」とする。また、外部電源供給情報が「供給あり」の場合には給電状態情報のウェイトを「Ｗ３」とし、「供給なし」の場合には給電状態情報のウェイトを「Ｗ４」とする。また、制御情報のウェイトを「Ｗ５」とし、節電要求情報のウェイトを「Ｗ６」とし、モード切替情報のウェイトを「Ｗ７」とする。
【００７６】
図９は、入力される情報に重み付けを行い、節電モードに切り替えるか否かを判定する節電モード切替判定回路７００の一例を示す。該節電モード切替判定回路７００は、動作状態制御部５０２に含まれてもよい。
【００７７】
節電モード切替判定回路７００は、乗算部７０２、７０４、７０８、７１０、７１２、及び７１４と、ウェイト選択部７０６と、加算部７１６と、閾値比較部７１８とを有する。
【００７８】
乗算部７０２は、数値化されたトラフィック情報とウェイト「Ｗ１」とを乗算する。乗算部７０２は、加算部７１６へ、乗算された値を入力する。
【００７９】
乗算部７０４は、数値化された電力リソース情報とウェイト「Ｗ２」とを乗算する。乗算部７０４は、加算部７１６へ、乗算された値を入力する。
【００８０】
図１０は、ウェイト選択部７０６の処理を示す。
【００８１】
ウェイト選択部７０６は、外部電源供給情報の内容が「供給あり」である場合、乗算部７０８へ、ウェイト「Ｗ３」を出力する。また、ウェイト選択部７０６は、外部電源供給情報の内容が「供給なし」である場合、乗算部７０８へ、ウェイト「Ｗ４」を出力する。
【００８２】
乗算部７０８は、ウェイト選択部７０６と接続される。乗算部７０８は、数値化された給電状態情報と、ウェイト選択部７０６からのウェイトとを乗算する。乗算部７０８は、加算部７１６へ、乗算された値を入力する。
【００８３】
乗算部７１０は、数値化された制御情報とウェイト「Ｗ５」とを乗算する。乗算部７１０は、加算部７１６へ、乗算された値を入力する。
【００８４】
乗算部７１２は、数値化された節電要求情報とウェイト「Ｗ６」とを乗算する。乗算部７１２は、加算部７１６へ、乗算された値を入力する。
【００８５】
乗算部７１４は、数値化されたモード切替情報とウェイト「Ｗ７」とを乗算する。乗算部７１４は、加算部７１６へ、乗算された値を入力する。
【００８６】
加算部７１６は、乗算部７０２、７０４、７０８、７１０、７１２、及び７１４と接続される。加算部７１６は、乗算部７０２、７０４、７０８、７１０、７１２、及び７１４からの乗算された値を加算する。加算部７１６は、閾値比較部７１８へ、加算された値を入力する。
【００８７】
閾値比較部７１８は、加算部７１６と接続される。閾値比較部７１８は、加算部７１６からの加算された値と、閾値とを比較し、比較結果に基づいて、節電モードに設定するか否かを判定する。
【００８８】
図１１は、閾値比較部７１８の処理の一例を示す。
【００８９】
閾値比較部７１８は、加算部７１６からの加算された値が閾値以上である場合（ｔｒｕｔｈ）、節電モードに設定すると判定する。この場合、閾値比較部７１８は、節電モードへ切り替えることを示す節電モード切替情報を出力する。閾値比較部７１８からの節電モード切替情報は、スケジューラ５０４、コンポーネントキャリアＡ送信電力制御部５０６、及びコンポーネントキャリアＢ送信電力制御部５０８へ、入力される。
【００９０】
また、閾値比較部７１８は、加算部７１６からの加算された値が閾値未満である場合（ｆａｌｓｅ）、節電モードに設定しないと判定する。この場合、閾値比較部７１８は、節電モードへ切り替えないことを示す節電モード切替情報を出力するようにしてもよい。閾値比較部７１８からの節電モード切替情報は、スケジューラ５０４、コンポーネントキャリアＡ送信電力制御部５０６、及びコンポーネントキャリアＢ送信電力制御部５０８へ、入力される。
【００９１】
＜セルの最大送信電力設定方法＞
動作状態制御部５０２は、給電状態情報に基づいて、各セルの最大送信電力を設定するようにしてもよい。
【００９２】
図１２は、最大送信電力を設定する際に利用する最大送信電力設定テーブルの一例を示す。
【００９３】
動作状態制御部５０２は、給電状態情報がバッテリの残量が無いことを示す場合には、最大送信電力設定情報として、コンポーネントキャリアを停止することを表す情報を出力する。
【００９４】
動作状態制御部５０２は、給電状態情報がバッテリの残量があることを示す場合には、最大送信電力設定情報として、最大送信電力をＸｄＢ低下させることを表す情報を出力する。Ｘの値は、バッテリの残量に応じて設定されてもよい。
【００９５】
動作状態制御部５０２は、給電状態情報がバッテリの残量が十分であることを示す場合には、最大送信電力設定情報として、最大値に設定することを表す情報を出力する。
【００９６】
＜スケジューリング方法（その１）＞
スケジューラ５０４は、最大送信電力の高いセルＡと、最大送信電力の低いセルＢに、予め独立に無線端末を登録する。スケジューラ５０４は、セルを単位として、無線端末を割り当てる。
【００９７】
図１３は、スケジューラ５０４の処理を示す。図１３には、説明の便宜のため、動作状態制御部５０２等も示される。図１３には、一例として、ＬＴＥについて示されるが、他の無線通信方式に適用されてもよい。例えば、ＬＴＥ−Ａｄｖａｎｃｅｄに適用されてもよい。図１３には、３個のコンポーネントキャリアが形成される場合について示す。２個のコンポーネントキャリアが形成されるようにしてもよいし、４個以上のコンポーネントキャリアが形成されるようにしてもよい。
【００９８】
動作状態制御部５０２は、パラメータＡ、パラメータＢ、パラメータＣ、・・・等に基づいて、節電モードに切り替えるか否かを判定する。ここで、パラメータＡ、パラメータＢ、パラメータＣ、・・・等には、上述した、トラフィック情報、電力リソース情報、給電状態情報、制御情報、節電要求情報、モード切替情報等が含まれる。
【００９９】
ＣＰＵ１０８ｎは、コンポーネントキャリア選択部５１０として機能する。具体的には、ＣＰＵ１０８ｎ１は、コンポーネントキャリア選択部５１０として機能する。コンポーネントキャリア選択部５１０は、動作状態制御部５０２と接続される。コンポーネントキャリア選択部５１０は、無線端末を割り当てるコンポーネントキャリアの優先順位を設定する。具体的には、コンポーネントキャリア選択部５１０は、コンポーネントキャリア毎の最大送信電力に基づいて、無線端末を割り当てるコンポーネントキャリアの優先順位を設定する。例えば、３個のコンポーネントキャリアが運用されており、且つ３個のコンポーネントキャリアの最大送信電力が異なる場合について説明する。
【０１００】
図１４は、優先割り当てコンポーネントキャリアの設定例を示す。
【０１０１】
コンポーネントキャリア選択部５１０は、最大送信電力が低い順に、無線端末を割り当てるコンポーネントキャリアの優先順位を設定する。
【０１０２】
コンポーネントキャリア選択部５１０は、無線端末を割り当てるコンポーネントキャリアの優先順位に従って、コンポーネントキャリア毎に、割り当てる無線端末の候補を選択する。コンポーネントキャリア選択部５１０は、ユーザ選択部５１２１へ、コンポーネントキャリアＡに割り当てる無線端末の候補を示す情報を入力する。また、コンポーネントキャリア選択部５１０は、ユーザ選択部５１２２へ、コンポーネントキャリアＢに割り当てる無線端末の候補を示す情報を入力する。また、コンポーネントキャリア選択部５１０は、ユーザ選択部５１２３へ、コンポーネントキャリアＣに割り当てる無線端末の候補を示す情報を入力する。
【０１０３】
ＣＰＵ１０８ｎは、ユーザ選択部５１２１として機能する。具体的には、ＣＰＵ１０８ｎ１は、ユーザ選択部５１２１として機能する。ユーザ選択部５１２１は、コンポーネントキャリア選択部５１０と接続される。ユーザ選択部５１２１は、コンポーネントキャリア選択部５１０からのコンポーネントキャリアＡを割り当てる候補として選択した無線端末を示す情報に基づいて、セルＡへ割り当てる無線端末を選択する。ユーザ選択部５１２１は、チャネルコーディング部５１４１と、チャネルデコーディング部５１８１へ、セルＡへ割り当てる無線端末を示す情報を入力する。
【０１０４】
ＤＳＰ１０６１は、チャネルコーディング部５１４１として機能する。チャネルコーディング部５１４１は、ユーザ選択部５１２１と接続される。チャネルコーディング部５１４１は、ユーザ選択部５１２１からのセルＡへ割り当てる無線端末を示す情報に基づいて、セルＡへ割り当てる無線端末への下りリンクの信号をコーディングする。例えば、チャネルコーディング部５１４１は、コンポーネントキャリアＡに、セルＡへ割り当てる無線端末への下りリンクの信号をマッピングする。該下りリンクの信号には、コンポーネントキャリアＡに関する情報を含む設定情報が含まれる。該設定情報は、セルＡへ割り当てる無線端末へ送信される。具体的には、セルＡへ割り当てる無線端末がセルＡを利用して無線信号の伝送を開始する前に、該無線端末へ、設定情報が通知される。例えば、チャネルコーディング部５１４１は、ターボエンコーディングを行うようにしてもよい。チャネルコーディング部５１４１は、ＯＦＤＭ信号生成部５１６１へ、チャネルコーディングした下りリンクの信号を入力する。
【０１０５】
ＤＳＰ１０６１は、ＯＦＤＭ信号生成部５１６１として機能する。ＯＦＤＭ信号生成部５１６１は、チャネルコーディング部５１４１と接続される。ＯＦＤＭ信号生成部５１６１は、チャネルコーディング部５１４１からのチャネルコーディングした下りリンクの信号から、セルＡで送信するＯＦＤＭ信号を生成する。具体的には、ＯＦＤＭ信号生成部５１６１は、チャネルコーディング部５１４１からのチャネルコーディングした下りリンクの信号を逆フーリエ変換し、サイクリックプリフィックスを挿入することによりＯＦＤＭ信号を生成する。ＯＦＤＭ信号生成部５１６１は、ＯＦＤＭ信号を送信する。
【０１０６】
ＤＳＰ１０６１は、ＳＣ−ＦＤＭＡデコード部５２０１として機能する。ＳＣ−ＦＤＭＡデコード部５２０１は、無線端末２００からの上りリンクの信号に含まれるシンボルをデコーディングする。具体的には、ＳＣ−ＦＤＭＡデコード部５２０１は、上りリンクの信号から、ＣＰを除去し、フーリエ変換又は離散フーリエ変換を行う。ＳＣ−ＦＤＭＡデコード部５２０１は、チャネルデコーディング部５１８１へ、シンボルデコーディングした上りリンクの信号を入力する。
【０１０７】
ＤＳＰ１０６１は、チャネルデコーディング部５１８１として機能する。チャネルデコーディング部５１８１は、ＳＣ−ＦＤＭＡデコード部５２０１と、ユーザ選択部５１２１と接続される。チャネルデコーディング部５１８１は、ＳＣ−ＦＤＭＡデコード部５２０１からのシンボルデコーディングした上りリンクの信号に対して、ユーザ選択部５１２１からのセルＡへ割り当てる無線端末２００を表す情報に基づいて、チャネルデコーディングを行う。具体的には、チャネルデコーディング部５１８１は、ＳＣ−ＦＤＭＡデコード部５２０１からのシンボルデコーディングした上りリンクの信号に対して、ターボデコーディングを行う。
【０１０８】
ＣＰＵ１０８ｎは、ユーザ選択部５１２２として機能する。具体的には、ＣＰＵ１０８ｎ１は、ユーザ選択部５１２２として機能する。ユーザ選択部５１２２は、コンポーネントキャリア選択部５１０と接続される。ユーザ選択部５１２２は、コンポーネントキャリア選択部５１０からのコンポーネントキャリアＢを割り当てる候補として選択した無線端末を示す情報に基づいて、セルＢへ割り当てる無線端末を選択する。ユーザ選択部５１２２は、チャネルコーディング部５１４２と、チャネルデコーディング部５１８２へ、セルＢへ割り当てる無線端末を示す情報を入力する。
【０１０９】
ＤＳＰ１０６１は、チャネルコーディング部５１４２として機能する。チャネルコーディング部５１４２は、ユーザ選択部５１２２と接続される。チャネルコーディング部５１４２は、ユーザ選択部５１２２からのセルＢへ割り当てる無線端末を示す情報に基づいて、セルＢへ割り当てる無線端末への下りリンクの信号をコーディングする。例えば、チャネルコーディング部５１４２は、コンポーネントキャリアＢに、セルＢへ割り当てる無線端末への下りリンクの信号をマッピングする。該下りリンクの信号には、コンポーネントキャリアＢに関する情報を含む設定情報が含まれる。該設定情報は、セルＢへ割り当てる無線端末へ送信される。具体的には、セルＢへ割り当てる無線端末がセルＢを利用して無線信号の伝送を開始する前に、該無線端末へ、設定情報が通知される。例えば、チャネルコーディング部５１４２は、ターボエンコーディングを行うようにしてもよい。チャネルコーディング部５１４２は、ＯＦＤＭ信号生成部５１６２へ、チャネルコーディングした下りリンクの信号を入力する。
【０１１０】
ＤＳＰ１０６１は、ＯＦＤＭ信号生成部５１６２として機能する。ＯＦＤＭ信号生成部５１６２は、チャネルコーディング部５１４２と接続される。ＯＦＤＭ信号生成部５１６２は、チャネルコーディング部５１４２からのチャネルコーディングした下りリンクの信号から、セルＢで送信するＯＦＤＭ信号を生成する。具体的には、ＯＦＤＭ信号生成部５１６２は、チャネルコーディング部５１４２からのチャネルコーディングした下りリンクの信号を逆フーリエ変換し、サイクリックプリフィックスを挿入することによりＯＦＤＭ信号を生成する。ＯＦＤＭ信号生成部５１６２は、ＯＦＤＭ信号を送信する。
【０１１１】
ＤＳＰ１０６１は、ＳＣ−ＦＤＭＡデコード部５２０２として機能する。ＳＣ−ＦＤＭＡデコード部５２０２は、無線端末２００からの上りリンクの信号に含まれるシンボルをデコーディングする。具体的には、ＳＣ−ＦＤＭＡデコード部５２０２は、上りリンクの信号から、ＣＰを除去し、フーリエ変換又は離散フーリエ変換を行う。ＳＣ−ＦＤＭＡデコード部５２０２は、チャネルデコーディング部５１８２へ、シンボルデコーディングした上りリンクの信号を入力する。
【０１１２】
ＤＳＰ１０６１は、チャネルデコーディング部５１８２として機能する。チャネルデコーディング部５１８２は、ＳＣ−ＦＤＭＡデコード部５２０２と、ユーザ選択部５１２２と接続される。チャネルデコーディング部５１８２は、ＳＣ−ＦＤＭＡデコード部５２０２からのシンボルデコーディングした上りリンクの信号に対して、ユーザ選択部５１２２からのセルＢへ割り当てる無線端末２００を示す情報に基づいて、チャネルデコーディングを行う。具体的には、チャネルデコーディング部５１８２は、ＳＣ−ＦＤＭＡデコード部５２０２からのシンボルデコーディングした上りリンクの信号に対して、ターボデコーディングを行う。
【０１１３】
ＣＰＵ１０８ｎは、ユーザ選択部５１２３として機能する。具体的には、ＣＰＵ１０８ｎ１は、ユーザ選択部５１２３として機能する。ユーザ選択部５１２３は、コンポーネントキャリア選択部５１０と接続される。ユーザ選択部５１２３は、コンポーネントキャリア選択部５１０からのコンポーネントキャリアＣを割り当てる候補として選択した無線端末を示す情報に基づいて、セルＣへ割り当てる無線端末を選択する。ユーザ選択部５１２３は、チャネルコーディング部５１４３と、チャネルデコーディング部５１８３へ、セルＣへ割り当てる無線端末を示す情報を入力する。
【０１１４】
ＤＳＰ１０６１は、チャネルコーディング部５１４３として機能する。チャネルコーディング部５１４３は、ユーザ選択部５１２３と接続される。チャネルコーディング部５１４３は、ユーザ選択部５１２３からのセルＣへ割り当てる無線端末を示す情報に基づいて、セルＣへ割り当てる無線端末への下りリンクの信号をコーディングする。例えば、チャネルコーディング部５１４３は、コンポーネントキャリアＣに、セルＣへ割り当てる無線端末への下りリンクの信号をマッピングする。該下りリンクの信号には、コンポーネントキャリアＣに関する情報を含む設定情報が含まれる。該設定情報は、セルＣへ割り当てる無線端末へ送信される。具体的には、セルＣへ割り当てる無線端末がセルＣを利用して無線信号の伝送を開始する前に、該無線端末へ、設定情報が通知される。例えば、チャネルコーディング部５１４３は、ターボエンコーディングを行うようにしてもよい。チャネルコーディング部５１４３は、ＯＦＤＭ信号生成部５１６３へ、チャネルコーディングした下りリンクの信号を入力する。
【０１１５】
ＤＳＰ１０６１は、ＯＦＤＭ信号生成部５１６３として機能する。ＯＦＤＭ信号生成部５１６３は、チャネルコーディング部５１４３と接続される。ＯＦＤＭ信号生成部５１６３は、チャネルコーディング部５１４３からのチャネルコーディングした下りリンクの信号から、セルＣで送信するＯＦＤＭ信号を生成する。具体的には、ＯＦＤＭ信号生成部５１６３は、チャネルコーディング部５１４３からのチャネルコーディングした下りリンクの信号を逆フーリエ変換し、サイクリックプリフィックスを挿入することによりＯＦＤＭ信号を生成する。ＯＦＤＭ信号生成部５１６３は、ＯＦＤＭ信号を送信する。
【０１１６】
ＤＳＰ１０６１は、ＳＣ−ＦＤＭＡデコード部５２０３として機能する。ＳＣ−ＦＤＭＡデコード部５２０３は、無線端末２００からの上りリンクの信号に含まれるシンボルをデコーディングする。具体的には、ＳＣ−ＦＤＭＡデコード部５２０３は、上りリンクの信号から、ＣＰを除去し、フーリエ変換又は離散フーリエ変換を行う。ＳＣ−ＦＤＭＡデコード部５２０３は、チャネルデコーディング部５１８３へ、シンボルデコーディングした上りリンクの信号を入力する。
【０１１７】
ＤＳＰ１０６１は、チャネルデコーディング部５１８３として機能する。チャネルデコーディング部５１８３は、ＳＣ−ＦＤＭＡデコード部５２０３と、ユーザ選択部５１２３と接続される。チャネルデコーディング部５１８３は、ＳＣ−ＦＤＭＡデコード部５２０３からのシンボルデコーディングした上りリンクの信号に対して、ユーザ選択部５１２３からのセルＣへ割り当てる無線端末２００を示す情報に基づいて、チャネルデコーディングを行う。具体的には、チャネルデコーディング部５１８３は、ＳＣ−ＦＤＭＡデコード部５２０３からのシンボルデコーディングした上りリンクの信号に対して、ターボデコーディングを行う。
【０１１８】
＜無線基地局１００の動作（その１）＞
図１５は、無線基地局１００の動作の一実施例を示す。
【０１１９】
図１５には、一例として、無線基地局１００が、３個のコンポーネントキャリアＡ、Ｂ、及びＣを運用する場合について示される。３個のコンポーネントキャリアの最大送信電力は異なる。コンポーネントキャリアＡ、Ｂ、Ｃの順に、最大送信電力が大きくなる場合について説明する。
【０１２０】
ステップＳ１５０２では、コンポーネントキャリア選択部５１０は、最大送信電力が低い順にコンポーネントキャリアを並べ替える。
【０１２１】
ステップＳ１５０４では、コンポーネントキャリア選択部５１０は、最大送信電力が最も低いコンポーネントキャリアで通信可能であるか否かを判定する。
【０１２２】
ステップＳ１５０６では、ステップＳ１５０４により最大送信電力が最も低いコンポーネントキャリアで通信可能であると判定された場合、ユーザ選択部５１２１は、最大送信電力が最も低いコンポーネントキャリアへ、無線端末２００を割り当てるか否かを判定する。
【０１２３】
ステップＳ１５０８では、ステップＳ１５０６により最大送信電力が最も低いコンポーネントキャリアへ、無線端末２００を割り当てると判定された場合、チャネルコーディング部５１４１は、最大送信電力が最も低いコンポーネントキャリアに、無線端末２００への下りリンクの信号をマッピングする。該下りリンクの信号には、最大送信電力が最も低いコンポーネントキャリアＡに関する情報を含む設定情報が含まれる。該設定情報は、無線端末２００へ送信される。具体的には、無線端末２００がコンポーネントキャリアＡを利用して無線信号の伝送を開始する前に、該無線端末へ、設定情報が通知される。
【０１２４】
チャネルコーディング部５１４１は、無線端末２００へ送信するデータに、チャネルコーディングを行う。又は、ステップＳ１５０８では、ＳＣ−ＦＤＭＡデコード部５２０１は、無線端末２００からの上りリンクの信号に含まれるＳＣ−ＦＤＭＡシンボルのデコーディングを行うようにしてもよい。
【０１２５】
ステップＳ１５１０では、ＯＦＤＭ信号生成部５１６１は、ステップＳ１５０８によりチャネルコーディングされた信号からＯＦＤＭ信号を生成する。又は、ステップＳ１５１０では、ステップＳ１５０８によりＳＣ−ＦＤＭＡシンボルデコーディングされた信号に対して、チャネルデコーディングを行うようにしてもよい。
【０１２６】
ステップＳ１５１２では、ステップＳ１５０４により最大送信電力が最も低いコンポーネントキャリアで通信できないと判定された場合、コンポーネントキャリア選択部５１０は、最大送信電力が２番目に低いコンポーネントキャリアで通信可能であるか否かを判定する。
【０１２７】
ステップＳ１５１４では、ステップＳ１５１２により最大送信電力が２番目に低いコンポーネントキャリアで通信可能であると判定された場合、ユーザ選択部５１２２は、最大送信電力が２番目に低いコンポーネントキャリアへ、無線端末２００を割り当てるか否かを判定する。
【０１２８】
ステップＳ１５１６では、ステップＳ１５１４により最大送信電力が２番目に低いコンポーネントキャリアへ、無線端末２００を割り当てると判定された場合、チャネルコーディング部５１４２は、最大送信電力が２番目に低いコンポーネントキャリアに、無線端末２００への下りリンクの信号をマッピングする。該下りリンクの信号には、最大送信電力が２番目に低いコンポーネントキャリアＢに関する情報を含む設定情報が含まれる。該設定情報は、無線端末２００へ送信される。具体的には、無線端末２００がコンポーネントキャリアＢを利用して無線信号の伝送を開始する前に、該無線端末へ、設定情報が通知される。
【０１２９】
チャネルコーディング部５１４２は、無線端末２００へ送信するデータに、チャネルコーディングを行う。又は、ステップＳ１５１６では、ＳＣ−ＦＤＭＡデコード部５２０２は、無線端末２００からの上りリンクの信号に含まれるＳＣ−ＦＤＭＡシンボルのデコーディングを行うようにしてもよい。
【０１３０】
ステップＳ１５１８では、ＯＦＤＭ信号生成部５１６２は、ステップＳ１５１６によりチャネルコーディングされた信号からＯＦＤＭ信号を生成する。又は、ステップＳ１５１８では、ステップＳ１５１６によりＳＣ−ＦＤＭＡシンボルデコーディングされた信号に対して、チャネルデコーディングを行うようにしてもよい。
【０１３１】
ステップＳ１５２０では、ステップＳ１５１２により最大送信電力が２番目に低いコンポーネントキャリアで通信できないと判定された場合、ユーザ選択部５１２３は、最大送信電力が３番目に低いコンポーネントキャリアへ割り当てるか否かを判定する。
【０１３２】
ステップＳ１５２２では、ステップＳ１５２０により最大送信電力が３番目に低いコンポーネントキャリアへ、無線端末２００を割り当てると判定された場合、チャネルコーディング部５１４３は、最大送信電力が３番目に低いコンポーネントキャリアに、無線端末２００への下りリンクの信号をマッピングする。該下りリンクの信号には、最大送信電力が３番目に低いコンポーネントキャリアＣに関する情報を含む設定情報が含まれる。該設定情報は、無線端末２００へ送信される。具体的には、無線端末２００がコンポーネントキャリアＣを利用して無線信号の伝送を開始する前に、該無線端末へ、設定情報が通知される。
【０１３３】
チャネルコーディング部５１４３は、無線端末２００へ送信するデータに、チャネルコーディングを行う。又は、ステップＳ１５２２では、ＳＣ−ＦＤＭＡデコード部５２０３は、無線端末２００からの上りリンクの信号に含まれるＳＣ−ＦＤＭＡシンボルのデコーディングを行うようにしてもよい。
【０１３４】
ステップＳ１５２４では、ＯＦＤＭ信号生成部５１６３は、ステップＳ１５２２によりチャネルコーディングされた信号からＯＦＤＭ信号を生成する。又は、ステップＳ１５２４では、ステップＳ１５２２によりＳＣ−ＦＤＭＡシンボルデコーディングされた信号に対して、チャネルデコーディングを行うようにしてもよい。
【０１３５】
ステップＳ１５２６では、ステップＳ１５１０、Ｓ１５１８、又はＳ１５２４によりＯＦＤＭ信号が生成された後、又は、ＳＣ−ＦＤＭＡシンボルデコーディングされた信号に対してチャネルデコーディングが行われた後、リソースの有無を判定する。又は、ステップＳ１５２６では、ステップＳ１５０６、Ｓ１５１４、又はＳ１５２０によりコンポーネントキャリアへ、無線端末２００を割り当てないと判定された場合に、リソースの有無を判定する。
【０１３６】
ステップＳ１５２８では、ステップＳ１５２６によりリソースがあると判定された場合、次の無線端末に設定し、ステップＳ１５０４に戻る。
【０１３７】
一方、ステップＳ１５２６によりリソースがないと判定された場合、終了する。
【０１３８】
＜無線基地局１００の動作（その２）＞
図１６は、無線基地局１００の動作の一実施例を示す。
【０１３９】
図１６には、一例として、無線基地局１００が２個のコンポーネントキャリアを運用する場合について示される。図１６では、無線基地局１００が２個のコンポーネントキャリアＡ、Ｂを運用している場合について示す。無線基地局１００が３個以上のコンポーネントキャリアを運用している場合についても同様である。
【０１４０】
無線端末２００は、下りリンクの無線品質を測定する。例えば、無線端末２００は、コンポーネントキャリアにおける下りリンクの無線品質を測定する。該コンポーネントキャリアには、８００ＭＨｚ帯、２．１ＧＨｚ帯が含まれてもよい。下りリンクの無線品質を表す指標として、ＳＩＲ、ＣＱＩ、Ｐａｔｈｌｏｓｓ等が利用されてもよい。
【０１４１】
図１６に示される例では、下りリンクの無線品質を表す指標として、ＣＱＩ（例えば、非特許文献１参照）が利用される場合について説明する。
【０１４２】
無線基地局１００は、無線端末２００からのＣＱＩがある閾値以上の場合は、セルＢで通信可能であると判断する。一方、無線基地局１００は、無線端末２００からのＣＱＩがある閾値未満である場合には、セルＡで通信させると判断する。セルＡの方が、最大送信電力が大きいためである。
【０１４３】
ステップＳ１６０２では、コンポーネントキャリア選択部５１０は、無線端末２００からのＣＱＩが、閾値以上であるか否かを判定する。
【０１４４】
ステップＳ１６０４では、ステップＳ１６０２により無線端末２００からのＣＱＩが閾値以上であると判定された場合、コンポーネントキャリア選択部５１０は、コンポーネントキャリアＢへ、無線端末２００を割り当てるか否かを判定する。
【０１４５】
ステップＳ１６０６では、ステップＳ１６０４によりコンポーネントキャリアＢへ、無線端末２００を割り当てると判定された場合、チャネルコーディング部５１４２は、コンポーネントキャリアＢに、無線端末２００への下りリンクの信号をマッピングする。該下りリンクの信号には、コンポーネントキャリアＢに関する情報を含む設定情報が含まれる。該設定情報は、無線端末２００へ送信される。具体的には、無線端末２００がコンポーネントキャリアＢを利用して無線信号の伝送を開始する前に、該無線端末へ、設定情報が通知される。
【０１４６】
チャネルコーディング部５１４２は、無線端末２００へ送信するデータに、チャネルコーディングを行う。又は、ステップＳ１６０６では、ＳＣ−ＦＤＭＡデコード部５２０２は、無線端末２００からの上りリンクの信号に含まれるＳＣ−ＦＤＭＡシンボルのデコーディングを行うようにしてもよい。
【０１４７】
ステップＳ１６０８では、ＯＦＤＭ信号生成部５１６２は、ステップＳ１６０６によりチャネルコーディングされた信号からＯＦＤＭ信号を生成する。又は、ステップＳ１６０８では、ステップＳ１６０６によりＳＣ−ＦＤＭＡシンボルデコーディングされた信号に対して、チャネルデコーディングを行うようにしてもよい。
【０１４８】
ステップＳ１６１０では、ステップＳ１６０２により無線端末２００からのＣＱＩがある閾値未満であると判定された場合、ユーザ選択部５１２１は、コンポーネントキャリアＡへ、無線端末２００を割り当てるか否かを判定する。
【０１４９】
ステップＳ１６１２では、ステップＳ１６１０によりコンポーネントキャリアＡへ、無線端末２００を割り当てると判定された場合、チャネルコーディング部５１４１は、コンポーネントキャリアＡに、無線端末２００への下りリンクの信号をマッピングする。該下りリンクの信号には、コンポーネントキャリアＡに関する情報を含む設定情報が含まれる。該設定情報は、無線端末２００へ送信される。具体的には、無線端末２００がコンポーネントキャリアＡを利用して無線信号の伝送を開始する前に、該無線端末へ、設定情報が通知される。
【０１５０】
チャネルコーディング部５１４１は、無線端末２００へ送信するデータに、チャネルコーディングを行う。又は、ステップＳ１６１２では、ＳＣ−ＦＤＭＡデコード部５２０１は、無線端末２００からの上りリンクの信号に含まれるＳＣ−ＦＤＭＡシンボルのデコーディングを行うようにしてもよい。
【０１５１】
ステップＳ１６１４では、ＯＦＤＭ信号生成部５１６１は、ステップＳ１６１２によりチャネルコーディングされた信号からＯＦＤＭ信号を生成する。又は、ステップＳ１６１４では、ステップＳ１６１２によりＳＣ−ＦＤＭＡシンボルデコーディングされた信号に対して、チャネルデコーディングを行うようにしてもよい。
【０１５２】
ステップＳ１６１６では、ステップＳ１６０８又はＳ１６１４によりＯＦＤＭ信号が生成された後、又はＳＣ−ＦＤＭＡシンボルデコーディングされた信号に対してチャネルデコーディングが行われた後、リソースの有無を判定する。又は、ステップＳ１６１６では、ステップＳ１６０４又はＳ１６１０によりコンポーネントキャリアへ割り当てないとされた場合に、リソースの有無を判定する。
【０１５３】
ステップＳ１６１８では、ステップＳ１６１６によりリソースがあると判定された場合、次の無線端末に設定し、ステップＳ１６０２に戻る。
【０１５４】
一方、ステップＳ１６１６によりリソースがないと判定された場合、終了する。
【０１５５】
図１６に示されるフローチャートにおいて、任意の値に、閾値を設定するようにしてもよいし、固定値としてもよい。また、閾値を、パラメータ化するようにしてもよい。
【０１５６】
一般に、ＣＱＩ値が低い値になるに従って、受信品質が悪くなる。従って、無線基地局１００は、ＣＱＩ値が高い無線端末を優先的に最大送信電力が低いセルＢへ割り当てるようにスケジューリングする。また、無線基地局１００は、ＣＱＩ値が低い無線端末を最大送信電力が高いセルＡへ割り当てるようにスケジューリングする。このようにすることにより、ＣＱＩ値が高い無線端末には、セルＢで低い送信電力が割り当てられるため、消費電力を低減できる。ＣＱＩ値が低い無線端末には、高い送信電力が割り当てられるため、セルＡ、Ｂのどちらへ割り当てられた場合でも、送信電力への影響は小さいと想定される。
【０１５７】
＜スケジューリング方法（その２）＞
スケジューラ５０４は、送信電力を低くすることが可能な無線端末について、最大送信電力の低いセルＢから、優先的に、割り当てを行う。このようにすることにより、最大送信電力の低いセルＢに、多くの無線端末を割り当てることができる。
【０１５８】
図１７は、スケジューラ５０４の一実施例を示す。図１７には、説明の便宜のため、動作状態制御部５０２等も示される。図１７には、一例として、ＬＴＥについて示されるが、他の無線通信方式に適用されてもよい。例えば、ＬＴＥ−Ａｄｖａｎｃｅｄに適用されてもよい。図１７には、２個のコンポーネントキャリアが形成される場合について示す。３個以上のコンポーネントキャリアが形成されるようにしてもよい。
【０１５９】
動作状態制御部５０２は、パラメータＡ、パラメータＢ、パラメータＣ、・・・等に基づいて、節電モードに切り替えるか否かを判定する。ここで、パラメータＡ、パラメータＢ、パラメータＣ、・・・等には、上述した、トラフィック情報、電力リソース情報、給電状態情報、制御情報、節電要求情報、モード切替情報等が含まれる。
【０１６０】
ＣＰＵ１０８ｎは、コンポーネントキャリア判定部５２２として機能する。具体的には、ＣＰＵ１０８ｎ１は、コンポーネントキャリア判定部５２２として機能する。コンポーネントキャリア判定部５２２は、動作状態制御部５０２と接続される。コンポーネントキャリア判定部５２２は、無線端末２００毎に、コンポーネントキャリアＡで通信させる候補とするか、コンポーネントキャリアＢで通信させる候補とするかを判定する。例えば、無線端末２００の下りリンクの無線品質に基づいて判定するようにしてもよい。コンポーネントキャリア判定部５２２は、ユーザ選択部５１２へ、コンポーネントキャリアＡを割り当てる候補として選択した無線端末を示す情報と、コンポーネントキャリアＢを割り当てる候補として選択した無線端末を示す情報とを入力する。
【０１６１】
ＣＰＵ１０８ｎは、ユーザ選択部５１２として機能する。具体的には、ＣＰＵ１０８ｎ１は、ユーザ選択部５１２として機能する。ユーザ選択部５１２は、コンポーネントキャリア判定部５２２と接続される。ユーザ選択部５１２は、コンポーネントキャリア判定部５２２からのコンポーネントキャリアＡを割り当てる候補として選択した無線端末を示す情報に基づいて、セルＡへ割り当てる無線端末を選択する。ユーザ選択部５１２は、チャネルコーディング部５１４１と、チャネルデコーディング部５１８１へ、セルＡへ割り当てる無線端末を表す情報を入力する。
【０１６２】
また、ユーザ選択部５１２は、コンポーネントキャリア判定部５２２からのコンポーネントキャリアＢを割り当てる候補として選択した無線端末を示す情報に基づいて、セルＢへ割り当てる無線端末を選択する。ユーザ選択部５１２は、チャネルコーディング部５１４２と、チャネルデコーディング部５１８２へ、セルＢへ割り当てる無線端末を表す情報を入力する。
【０１６３】
チャネルコーディング部５１４１、ＯＦＤＭ信号生成部５１６１、ＳＣ−ＦＤＭＡデコード部５２０１、チャネルデコーディング部５１８１については、図１３と同様である。
【０１６４】
また、チャネルコーディング部５１４２、ＯＦＤＭ信号生成部５１６２、ＳＣ−ＦＤＭＡデコード部５２０２、チャネルデコーディング部５１８２については、図１３と同様である。
【０１６５】
＜無線基地局１００の動作（その３）＞
図１８は、無線基地局１００の動作の一実施例を示す。
【０１６６】
図１８には、一例として、２個のコンポーネントキャリアが運用される場合について示される。
【０１６７】
ステップＳ１８０２では、コンポーネントキャリア判定部５２２は、無線端末２００がコンポーネントキャリアＢで通信可能であるか否かを判定する。
【０１６８】
ステップＳ１８０４では、ステップＳ１８０２により無線端末２００がコンポーネントキャリアＢで通信可能であると判定された場合、ユーザ選択部５１２は、コンポーネントキャリアＢに、無線端末２００を割り当てるか否かを判定する。
【０１６９】
ステップＳ１８０６では、ステップＳ１８０４によりコンポーネントキャリアＢに、無線端末２００を割り当てると判定された場合、チャネルコーディング部５１４２は、コンポーネントキャリアＢに、無線端末２００への下りリンクの信号をマッピングする。該下りリンクの信号には、コンポーネントキャリアＢに関する情報を含む設定情報が含まれる。該設定情報は、無線端末２００へ送信される。具体的には、無線端末２００がコンポーネントキャリアＢを利用して無線信号の伝送を開始する前に、該無線端末へ、設定情報が通知される。
【０１７０】
チャネルコーディング部５１４２は、無線端末２００へ送信するデータに、チャネルコーディングを行う。又は、ステップＳ１８０６では、ＳＣ−ＦＤＭＡデコード部５２０２は、無線端末２００からの上りリンクの信号に含まれるＳＣ−ＦＤＭＡシンボルのデコーディングを行うようにしてもよい。
【０１７１】
ステップＳ１８０８では、ＯＦＤＭ信号生成部５１６２は、ステップＳ１８０６によりチャネルコーディングされた信号からＯＦＤＭ信号を生成する。又は、ステップＳ１８０８では、チャネルデコーディング部５１８２は、ステップＳ１８０６によりＳＣ−ＦＤＭＡシンボルデコーディングされた信号に対して、チャネルデコーディングを行うようにしてもよい。
【０１７２】
ステップＳ１８１０では、ステップＳ１８０２によりコンポーネントキャリアＢで、無線端末２００に通信させないと判定された場合、ユーザ選択部５１２は、コンポーネントキャリアＡに、無線端末２００を割り当てるか否かを判定する。又はステップＳ１８１０では、ステップＳ１８０４によりコンポーネントキャリアＢで、無線端末２００に通信させないと判定された場合、ユーザ選択部５１２は、コンポーネントキャリアＡに割り当てるか否かを判定する。
【０１７３】
ステップＳ１８１２では、ステップＳ１８１０によりコンポーネントキャリアＡに、無線端末２００を割り当てると判定された場合、チャネルコーディング部５１４１は、コンポーネントキャリアＡに、無線端末２００への下りリンクの信号をマッピングする。該下りリンクの信号には、コンポーネントキャリアＡに関する情報を含む設定情報が含まれる。該設定情報は、無線端末２００へ送信される。具体的には、無線端末２００がコンポーネントキャリアＡを利用して無線信号の伝送を開始する前に、該無線端末へ、設定情報が通知される。
【０１７４】
チャネルコーディング部５１４１は、無線端末２００へ送信するデータに、チャネルコーディングを行う。又は、ステップＳ１８１２では、ＳＣ−ＦＤＭＡデコード部５２０１は、無線端末２００からの上りリンクの信号に含まれるＳＣ−ＦＤＭＡシンボルのデコーディングを行うようにしてもよい。
【０１７５】
ステップＳ１８１４では、ＯＦＤＭ信号生成部５１６１は、ステップＳ１８１２によりチャネルコーディングされた信号からＯＦＤＭ信号を生成する。又は、ステップＳ１８１４では、チャネルデコーディング部５１８１は、ステップＳ１８１２によりＳＣ−ＦＤＭＡシンボルデコーディングされた信号に対して、チャネルデコーディングを行うようにしてもよい。
【０１７６】
ステップＳ１８１６では、ステップＳ１８０８又はＳ１８１４によりＯＦＤＭ信号が生成された後、又はＳＣ−ＦＤＭＡシンボルデコーディングされた信号に対してチャネルデコーディングが行われた後、リソースの有無を判定する。又は、ステップＳ１８１６では、ステップＳ１８１０によりコンポーネントキャリアＡへ、無線端末２００を割り当てないと判定された場合に、リソースの有無を判定する。
【０１７７】
ステップＳ１８１８では、ステップＳ１８１６によりリソースがあると判定された場合、次の無線端末に設定し、ステップＳ１８０２に戻る。
【０１７８】
一方、ステップＳ１８１６によりリソースがないと判定された場合、終了する。
【０１７９】
無線基地局１００は、図１５に示される動作（以下、「第１の動作フロー」という）と、図１８に示される動作（以下、「第２の動作フロー」という）との間で切り替えるように制御してもよい。この場合、運用するコンポーネントキャリアの数は同じであるのが好ましい。また、無線基地局１００は、図１６に示される動作（以下、「第３の動作フロー」という）と、第２の動作フローとの間で切り替えるように制御してもよい。この場合、運用するコンポーネントキャリアの数は同じであるのが好ましい。
【０１８０】
どちらの動作フローへ切り替えるかは、無線基地局１００へ供給される電力の逼迫度合いに応じて制御されてもよい。
【０１８１】
図１９は、動作切り替えの条件の一例を示す。
【０１８２】
具体的には、動作状態制御部５０２は、節電モードに設定する際に、供給される電力が逼迫していない場合には、第２の動作フローに従って動作するように制御する。また、動作状態制御部５０２は、供給される電力が逼迫している場合には、第１又は第３の動作フローに従って動作するように制御する。第２の動作フローよりも、第１又は第３の動作フローの方が、最大送信電力が低いセルに無線端末２００が割り当てられる確率が高いと想定されるためである。第２の動作フローよりも、第１又は第３の動作フローの方が消費電力が低くなると想定される。従って、供給される電力が逼迫している場合には、第１又は第３の動作フローに従って動作するように制御する。
【０１８３】
動作状態制御部５０２は、供給される電力が逼迫しているか否かを、電力の閾値に基づいて判定するようにしてもよい。
【０１８４】
図２０は、供給される電力が逼迫しているか否かの判定例を示す。
【０１８５】
動作状態制御部５０２は、供給される電力に基づく演算結果が所定の第１の閾値Ｘ未満の場合、通常モードに従って動作するように制御する。
【０１８６】
動作状態制御部５０２は、供給される電力に基づく演算結果が所定の第１の閾値Ｘ以上であり、且つ所定の第２の閾値Ｙ未満の場合、第２の動作フローに従って動作するように制御する。ここで、第１の閾値Ｘ≦第２の閾値Ｙである。
【０１８７】
動作状態制御部５０２は、供給される電力に基づく演算結果が所定の第２の閾値Ｙ以上の場合、第１又は第３の動作フローに従って動作するように制御する。
【０１８８】
図２０には、２つの閾値が設定される場合について示されるが、１つの閾値に従って動作フローが設定されてもよいし、３以上の閾値に従って動作フローが設定されてもよい。
【０１８９】
＜最大送信電力の制御方法（その１）＞
無線基地局１００は、他の無線基地局との間で通信を行うことにより、他の無線基地局との間で重複するセルに対応する最大送信電力を制御するようにしてもよい。
【０１９０】
図２１は、複数の無線基地局を含む無線通信システムの一実施例を示す。
【０１９１】
図２１に示される例では、無線基地局１００１は、コンポーネントキャリアＡ、Ｂで無線通信を行う。また、無線基地局１００２は、コンポーネントキャリアＣで無線通信を行う。コンポーネントキャリアＡで運用されるセルＡの一部と、コンポーネントキャリアＣで運用されるセルＣは重複する。この場合、無線基地局１００１、１００２の一方が他の無線基地局を制御することができるマスタに設定されてもよい。どちらの無線基地局がマスタに設定されるかは予め設定されてもよい。
【０１９２】
図２２は、無線基地局１００の一実施例を示す。図２２には、主にスケジューラ５０４が示される。
【０１９３】
無線基地局１００は、図１７に示される無線基地局と、他の無線基地局の動作状態制御部５０２へ、動作状態制御部５０２がパラメータＤを通知する点で異なる。パラメータＤは無線基地局間を接続する伝送路により通知される。パラメータＤには、コンポーネントキャリアを有効にするか否かを表す情報が含まれてもよい。
【０１９４】
無線基地局１００１からのパラメータＤを受信した他の無線基地局１００２は、最大送信電力を制御する。具体的には、他の無線基地局１００２の動作状態制御部５０２は、節電モードに設定するようにしてもよい。また、他の無線基地局１００２の動作状態制御部５０２は、リソースを制御するようにしてもよい。具体的には、他の無線基地局１００２のコンポーネントキャリア判定部５２２は、他のコンポーネントキャリアで通信を行うことを促すように制御するようにしてもよい。つまり、他の無線基地局１００２のコンポーネントキャリア判定部５２２は、無線端末２００へ割り当てるコンポーネントキャリアの候補として、コンポーネントＣ以外のコンポーネントキャリアとしてもよい。
【０１９５】
＜パラメータＤ＞
図２３は、パラメータＤに含まれる情報の一例を示す。
【０１９６】
コンポーネントキャリアＡの状態と、コンポーネントキャリアＢの状態に応じて、パラメータＤにより示される情報が設定されてもよい。さらに、図２３には、「消費電力」の欄に、消費電力の大きさを示す指標が示される。「消費電力」の欄では、小さい数値から大きい数値になるに従って、消費電力が大きくなる。
【０１９７】
図２３において、パラメータＤが「無効」を示す場合には、コンポーネントキャリアＣが「オン」にされる。パラメータＤが「有効」を示す場合には、コンポーネントキャリアＣが「オフ」にされる。つまり、マスタである無線基地局１００１により、無線基地局１００２が制御される。このように、マスタである無線基地局１００１による制御により、他の無線基地局１００２のコンポーネントキャリアをオン、オフすることにより、消費電力を低減できる。
【０１９８】
動作状態制御部５０２は、消費電力に基づいて、図２３に示される「１項」−「８項」から、セル運用形態を選択するようにしてもよい。例えば、「消費電力」の欄の小さい数値から順に、セル運用形態を切り替える候補としてもよい。
【０１９９】
図２４は、セル運用形態を変更する際に利用されるセル運用形態変更テーブルの一例を示す。
【０２００】
図２４に示されるセル運用形態変更テーブルでは、図２３の各項を消費電力の小さい方から順に並べ替えて、新たに項番号を付したものである。
【０２０１】
動作状態制御部５０２は、供給される電力に基づく演算結果に基づいて、セル運用形態を変更する。該演算結果は、図９において、閾値比較部７１８に入力される情報であってもよい。図２４において、閾値Ａ＞閾値Ｂ＞閾値Ｃ＞閾値Ｄ＞閾値Ｅ＞閾値Ｆ＞閾値Ｇである。
【０２０２】
図２５は、図２３の「２項」に従って最大送信電力が制御された場合の例を示す。図２５に示される例では、無線基地局１００１によりコンポーネントキャリアＡで運用されるセルＡの一部と、コンポーネントキャリアＢで運用されるセルＢとが重複する。また、無線基地局１００１によりコンポーネントキャリアＡで運用される複数のセルのうち、１つのセルの一部と、無線基地局１００２によりコンポーネントキャリアＣで運用される複数のセルＣのうち、１つのセルとが重複する。
【０２０３】
この場合、無線基地局１００１の動作状態制御部５０２は、節電モードに切り替える際に、無線基地局１００２により運用される複数のセルＣのうち、無線基地局１００１により運用されるセルＡと重複するセルの電力を停止させるように制御する。さらに、無線基地局１００１の動作状態制御部５０２は、節電モードに切り替える際に、無線基地局１００２により運用されるセルＣと重複する、無線基地局１００１により運用されるセルＡと重複するセルＢの電力を停止させるように制御する。
【０２０４】
つまり、無線基地局１００１は、運用するセルと重複する、他の基地局１００２により運用されるセルの電力を停止させるように制御する。さらに、無線基地局１００１は、電力を停止させるように制御した他の基地局１００２により運用されるセルと重複するセルと重複するセルの電力を停止させるように制御する。
【０２０５】
図２６は、図２３の「６項」に従って最大送信電力が制御される場合の例を示す。図２６のセルの状況は、図２５と略同一である。
【０２０６】
この場合、無線基地局１００１の動作状態制御部５０２は、節電モードに切り替える際に、運用する複数のセルＡのうち、その一部が無線基地局１００２により運用されるセルＣと重複する場合、該セルＡの電力を停止させるように制御する。つまり、無線基地局１００２により運用されるセルＣと重複するセルＡの電力を停止させ、該セルＡと重複する領域では、無線基地局１００１によりセルＢが運用され、無線基地局１００２によりセルＣが運用される。
【０２０７】
図２３の「１項」、「３項」−「５項」、「７項」−「８項」についても同様である。無線基地局は、無線基地局間を接続する伝送路を利用して、他の無線基地局のコンポーネントキャリアにおける最大送信電力を制御することができる。このため、無線通信システム全体の消費電力が低減される。
【０２０８】
＜無線通信システムの動作（その１）＞
図２７は、無線通信システムの動作の一実施例を示す。
【０２０９】
ステップＳ２７０２では、無線基地局１００１の動作状態制御部５０２は、コンポーネントキャリアＡの電力を停止、又は低下させるかを判定する。
【０２１０】
ステップＳ２７０４では、ステップＳ２７０２によりコンポーネントキャリアＡの電力を停止、又は低下させると判定された場合、無線基地局１００１の動作状態制御部５０２は、コンポーネントキャリアＡを停止、又は電力を低下させる。
【０２１１】
ステップＳ２７０６では、コンポーネントキャリアＡを停止、又は電力を低下させた後、無線基地局１００１の動作状態制御部５０２は、コンポーネントキャリアＢの電力を停止又は低下させるかを判定する。又は、ステップＳ２７０６では、ステップＳ２７０２によりコンポーネントキャリアＡの電力を停止、又は低下させないと判定された場合、無線基地局１００１の動作状態制御部５０２は、コンポーネントキャリアＢの電力を停止、又は低下させるかを判定する。
【０２１２】
ステップＳ２７０８では、ステップＳ２７０６によりコンポーネントキャリアＢの電力を停止、又は低下させると判定された場合、無線基地局１００１の動作状態制御部５０２は、コンポーネントキャリアＢの電力を停止、又は低下させる。
【０２１３】
ステップＳ２７１０では、コンポーネントキャリアＢの電力を停止、又は低下させた後に以下の処理を行う。無線基地局１００１の動作状態制御部５０２は、他の無線基地局１００２のコンポーネントキャリアＣの電力を停止、又は低下させるかを判定する。又は、ステップＳ２７１０では、ステップＳ２７０６によりコンポーネントキャリアＢの電力を停止、又は低下させないと判定された場合に以下の処理を行う。無線基地局１００１の動作状態制御部５０２は、他の無線基地局１００２のコンポーネントキャリアＣの電力を停止、又は低下させるかを判定する。
【０２１４】
ステップＳ２７１２では、ステップＳ２７１０により他の無線基地局１００２のコンポーネントキャリアＣの電力を停止、又は低下させると判定された場合に以下の処理を行う。無線基地局１００１の動作状態制御部５０２は、他の無線基地局１００１へ、「有効」であることを表すパラメータＤを送信する。
【０２１５】
ステップＳ２７１４では、他の無線基地局１００２の動作状態制御部５０２は、無線基地局１００１からのパラメータＤにより示される情報に従って、コンポーネントキャリアＣの電力を停止、又は低下させる。
【０２１６】
ステップＳ２７１０により他の無線基地局１００２のコンポーネントキャリアＣの電力を停止、又は低下させないと判定された場合、終了する。
【０２１７】
＜最大送信電力の制御方法（その２）＞
＜最大送信電力の制御方法（その１）＞において、パラメータＤにより示される情報をどのようにするかは、無線通信システムのトラフィックに応じて決定されてもよい。この場合、無線基地局１００２から、無線基地局１００１へ、トラフィック情報が通知されてもよい。
【０２１８】
図２８は、無線基地局１００２から、無線基地局１００１へ、トラフィック情報が通知される処理が追加された無線基地局１００の一実施例を示す。つまり、図２２において、無線基地局１００２のユーザ選択部５１２から、基地局１００１の動作状態制御部５０２へ、パラメータＥが通知される。パラメータＥには、無線基地局１００２のトラフィック情報が含まれる。基地局１００１の動作状態制御部５０２は、無線基地局１００１のトラフィックと、パラメータＥに含まれるトラフィック情報に示されるトラフィックに基づいて、図２３のどの項に従って最大送信電力を制御するかを判断する。
【０２１９】
図２９は、最大送信電力を制御する際に、どの項に従って制御するかの一例を示す。
【０２２０】
図２９には、無線基地局１００１のトラフィックと、パラメータＥに含まれるトラフィック情報に示されるトラフィックとの合計に応じて、図２３の「２項」、「６項」のどちらのセル運用形態にするかが対応付けられる。図２３の「２項」、「６項」以外のセル運用形態についても、適用する際の条件が設定されてもよい。
【０２２１】
無線基地局１００１のトラフィックと、パラメータＥに含まれるトラフィック情報で示されるトラフィックとの合計が、コンポーネントキャリアＡで収容可能である場合、無線基地局１００１の動作状態制御部５０２は、図２３の「２項」に従って制御する。つまり、無線基地局１００１の動作状態制御部５０２は、コンポーネントキャリアＢ、Ｃを停止、又は電力を低下させるように制御する。この場合、コンポーネントキャリアＡが運用される。
【０２２２】
無線基地局１００１のトラフィックと、パラメータＥに含まれるトラフィック情報に示されるトラフィックとの合計が、コンポーネントキャリアＡで収容できない場合、無線基地局１００１の動作状態制御部５０２は、図２３の「６項」に従って制御する。つまり、無線基地局１００１の動作状態制御部５０２は、コンポーネントキャリアＡを停止、又は電力を低下させる。この場合、コンポーネントキャリアＢ、Ｃが運用される。
【０２２３】
＜無線通信システムの動作（その２）＞
図３０は、無線通信システムの動作の一実施例を示す。
【０２２４】
ステップＳ３００２では、無線基地局１００２のユーザ選択部５１２は、無線基地局１００１の動作状態制御部５０２へ、パラメータＥを通知する。無線基地局１００２のユーザ選択部５１２は、パラメータＥの通知を定期的に行ってもよいし、不定期に行ってもよい。
【０２２５】
ステップＳ３００４では、無線基地局１００１の動作状態制御部５０２は、コンポーネントキャリアＡ、Ｂ、及びＣのトラフィックをチェックする。
【０２２６】
ステップＳ３００６では、無線基地局１００１の動作状態制御部５０２は、コンポーネントキャリアＡ、Ｂ、及びＣのトラフィックの合計が、コンポーネントキャリアＡで収容可能か否かを判定する。
【０２２７】
ステップＳ３００８では、ステップＳ３００６によりコンポーネントキャリアＡで収容可能と判定された場合、無線基地局１００１の動作状態制御部５０２は、コンポーネントキャリアＢを停止、又は電力を低下させるように制御する。
【０２２８】
ステップＳ３０１０では、無線基地局１００１の動作状態制御部５０２は、無線基地局１００２へ、コンポーネントキャリアＣを停止、又は電力を低下させることを指示することを示す情報を含むパラメータＤを送信する。パラメータＤには、「有効」であることを示す情報が含まれる。
【０２２９】
ステップＳ３０１２では、無線基地局１００２の動作状態制御部５０２は、無線基地局１００１からのパラメータＤで示される情報に従って、コンポーネントキャリアＣを停止、又は電力を低下させる。
【０２３０】
ステップＳ３０１４では、ステップＳ３００６によりコンポーネントキャリアＡで収容できないと判定された場合、無線基地局１００１の動作状態制御部５０２は、コンポーネントキャリアＡを停止、又は電力を低下させるように制御する。
【０２３１】
このようにすることにより、無線通信システム全体で、セル運用形態を最適化できる。また、無線通信システム全体として、送信電力の割り当てを最適化できる。
【０２３２】
＜最大送信電力の制御方法（その３）＞
図３１は、複数の無線基地局を含む無線通信システムの一実施例を示す。
【０２３３】
無線基地局１００２のトラフィックに偏りがある場合、コンポーネントキャリアＣでは、全ての無線端末を収容できないことが想定される。この場合、無線基地局１００１は、コンポーネントキャリアＢの電力を停止するように制御する。つまり、無線基地局１００１は、コンポーネントキャリアＡを運用し、コンポーネントキャリアＣを運用させることにより、無線基地局１００２のトラフィックを補完する。
【０２３４】
＜無線通信システムの動作（その３）＞
図３２は、無線通信システムの動作の一実施例を示す。
【０２３５】
ステップＳ３２０２−Ｓ３２１２は、図３０のステップＳ３００２−Ｓ３０１２と同様である。
【０２３６】
ステップＳ３２１４では、ステップ３２０６により無線基地局１００１のコンポーネントキャリアＡで収容できないと判定された場合、無線基地局１００１の動作状態制御部５０２は、コンポーネントキャリアＣで収容可能か否かを判定する。
【０２３７】
ステップＳ３２１６では、ステップＳ３２１４によりコンポーネントキャリアＣで収容可能と判定された場合、無線基地局１００１の動作状態制御部５０２は、コンポーネントキャリアＡを停止、又は低下させたりする。
【０２３８】
ステップＳ３２１８では、ステップＳ３２１４によりコンポーネントキャリアＣで収容できないと判定された場合、無線基地局１００１の動作状態制御部５０２は、コンポーネントキャリアＡと、コンポーネントキャリアＣの両方で収容可能か否かを判定する。
【０２３９】
ステップＳ３２２０では、ステップＳ３２１８によりコンポーネントキャリアＡと、コンポーネントキャリアＣの両方で収容可能と判定された場合、無線基地局１００１の動作状態制御部５０２は、コンポーネントキャリアＢを停止、又は電力を低下させたりする。
【０２４０】
一方、ステップＳ３２１８によりコンポーネントキャリアＡと、コンポーネントキャリアＣの両方でも収容できないと判定された場合、終了する。
【０２４１】
＜最大送信電力の制御方法（その４）＞
＜最大送信電力の制御方法（その３）＞に従って最大送信電力の制御が行われると、急激にトラフィックが変化する虞がある。具体的には、トラフィックが増加した場合、呼損が生じる虞がある。従って、無線基地局１００は、偶発的にトラフィックが増減した場合に、コンポーネントキャリアの電力を停止させたり、低下させたりする。具体的には、無線基地局１００は、トラフィックについての統計をとり、該統計情報に基づいて、現在のトラフィックが増加傾向であるのか、減少傾向であるのかを判定する。
【０２４２】
＜無線通信システムの動作（その４）＞
図３３は、無線通信システムの動作の一実施例を示す。
【０２４３】
ステップＳ３３０２−Ｓ３３０６は、図３０のステップＳ３００２−Ｓ３００６と同様である。
【０２４４】
ステップＳ３３０８では、ステップＳ３３０６によりコンポーネントキャリアＡで収容可能と判定された場合、無線基地局１００１の動作状態制御部５０２は、コンポーネントキャリアＢのトラフィックの統計情報との乖離は許容されるか否かを判定する。
【０２４５】
ステップＳ３３１０では、ステップＳ３３０８により許容されると判定された場合、無線基地局１００１の動作状態制御部５０２は、コンポーネントキャリアＢを停止、又は電力を低下させるように制御する。
【０２４６】
ステップＳ３３１２では、ステップＳ３３１０によりコンポーネントキャリアＢを停止、又は電力を低下させるように制御された後に以下の処理を行う。無線基地局１００１の動作状態制御部５０２は、コンポーネントキャリアＣのトラフィックの統計情報との乖離は許容されるか否かを判定する。又は、ステップＳ３３１２では、ステップＳ３３０８により許容されないと判定された場合、無線基地局１００１の動作状態制御部５０２は、コンポーネントキャリアＣのトラフィックの統計情報との乖離は許容されるか否かを判定する。
【０２４７】
ステップＳ３３１４では、ステップＳ３３１２により許容されると判定された場合に以下の処理を行う。無線基地局１００１の動作状態制御部５０２は、無線基地局１００２へ、コンポーネントキャリアＣを停止、又は電力を低下させることを示す情報を含むパラメータＤを送信する。パラメータＤには、「有効」であることを示す情報が含まれる。
【０２４８】
ステップＳ３３１６では、無線基地局１００２の動作状態制御部５０２は、無線基地局１００１からのパラメータＤで示される情報に従って、コンポーネントキャリアＣを停止、又は電力を低下させる。
【０２４９】
ステップＳ３３１８では、ステップＳ３３０６によりコンポーネントキャリアＡで収容できないと判定された場合、無線基地局１００１の動作状態制御部５０２は、コンポーネントキャリアＡのトラフィックの統計情報との乖離は許容されるか否かを判定する。
【０２５０】
ステップＳ３３２０では、ステップＳ３３１８により許容されると判定された場合、無線基地局１００１の動作状態制御部５０２は、コンポーネントキャリアＡを停止、又は電力を低下させるように制御する。
【０２５１】
ステップＳ３３１２によりコンポーネントキャリアＣのトラフィックの統計量との乖離が許容できないと判定された場合、又は、ステップＳ３３１８によりコンポーネントキャリアＡのトラフィックの統計量との乖離が許容できないと判定された場合、終了する。
【０２５２】
＜最大送信電力の制御方法（その５）＞
例えは、図２３の「２項」に従って最大送信電力が制御される場合、停止させるコンポーネントキャリア、又は電力を低下させるコンポーネントキャリアに在圏していた無線端末との間で通信断が生じる虞がある。このような通信断を防止するために、無線基地局１００２のコンポーネントキャリアＣを停止させたり、又は電力を低下させたりする前に、以下の処理を行う。無線基地局１００２のコンポーネントキャリアＣから、無線基地局１００１のコンポーネントキャリアＡ、又はＢへ、無線端末２００をハンドオーバさせる。
【０２５３】
図３４は、無線基地局１００の一実施例を示す。図３４では、図２８に示される無線基地局１００において、無線基地局１００１のユーザ選択部５１２と、無線基地局１００２のユーザ選択部５１２との間で、送受信される「ＵＥパラメータ」が追加される。ＵＥパラメータは、無線基地局１００２のコンポーネントキャリアと、無線基地局１００１のコンポーネントキャリアとの間でのハンドオーバを要求するための制御信号である。ＵＥパラメータは、制御メッセージであってもよい。
【０２５４】
具体的には、図２３の「２項」に従って制御が行われる場合に、無線基地局１００２のユーザ選択部５１２は、無線基地局１００１のユーザ選択部５１２へ、コンポーネントキャリアＣに在圏する無線端末をハンドオーバさせるためにＵＥパラメータを送信する。
【０２５５】
無線基地局１００１のユーザ選択部５１２は、無線基地局１００２からのＵＥパラメータに従って、コンポーネントキャリアＡへ、無線基地局１００２のコンポーネントキャリアＣに在圏する無線端末をハンドオーバさせる。ハンドオーバについては、規定されている（例えば、非特許文献２参照）。
【０２５６】
また、ハンドオーバを契機とする制御信号又は制御メッセージは、他の装置、装置に実装されたソフトウェア・ハードウェア、無線端末から送信されてもよい。なお、無線端末にハンドオーバを要求させる場合には、該要求前に、無線基地局により報知情報が発信されてもよいし、無線端末個別に通知されてもよい。
【０２５７】
＜無線通信システムの動作（その５）＞
図３５は、無線通信システムの動作の一実施例を示す。
【０２５８】
ステップＳ３５０２では、無線基地局１００２のユーザ選択部５１２は、無線基地局１００１の動作状態制御部５０２へ、パラメータＥを通知する。無線基地局１００２のユーザ選択部５１２は、パラメータＥの通知を定期的に行ってもよいし、不定期に行ってもよい。
【０２５９】
ステップＳ３５０４では、無線基地局１００１の動作状態制御部５０２は、コンポーネントキャリアＡ、Ｂ、及びＣのトラフィックをチェックする。
【０２６０】
ステップＳ３５０６では、無線基地局１００１の動作状態制御部５０２は、コンポーネントキャリアＡ、Ｂ、及びＣのトラフィックの合計が、コンポーネントキャリアＡで収容可能か否かを判定する。
【０２６１】
ステップＳ３５０８では、ステップＳ３５０６によりコンポーネントキャリアＡで収容可能と判定された場合、無線基地局１００１のユーザ選択部５１２は、コンポーネントキャリアＡへ、コンポーネントキャリアＢに収容される無線端末をハンドオーバさせる。
【０２６２】
ステップＳ３５１０では、無線基地局１００１の動作状態制御部５０２は、コンポーネントキャリアＢを停止、又は電力を低下させるように制御する。
【０２６３】
ステップＳ３５１２では、無線基地局１００１の動作状態制御部５０２は、無線基地局１００２へ、コンポーネントキャリアＣを停止、又は電力を低下させることを指示することを示す情報を含むパラメータＤを送信する。パラメータＤには、「有効」であることを示す情報が含まれる。
【０２６４】
ステップＳ３５１４では、無線基地局１００１のユーザ選択部５１２は、コンポーネントキャリアＡへ、コンポーネントキャリアＣに収容された無線端末をハンドオーバさせる。無線基地局１００２のユーザ選択部５１２は、無線基地局１００１から「有効」であることを示す情報が含まれるパラメータＤが通知された際に、無線基地局１００１へ、ＵＥパラメータを通知する。無線基地局１００１のユーザ選択部５１２は、無線基地局１００２からのＵＥパラメータに従って、コンポーネントキャリアＡへ、コンポーネントキャリアＣに収容された無線端末をハンドオーバさせる。
【０２６５】
ステップＳ３５１６では、無線基地局１００２の動作状態制御部５０２は、無線基地局１００１からのパラメータＤで示される情報に従って、コンポーネントキャリアＣを停止、又は電力を低下させる。
【０２６６】
ステップＳ３５１８では、ステップＳ３５０６によりコンポーネントキャリアＡで収容できないと判定された場合、無線基地局１００１のユーザ選択部５１２は、コンポーネントキャリアＢ、又はコンポーネントキャリアＣへ、コンポーネントキャリアＡに収容される無線端末をハンドオーバさせるように制御する。
【０２６７】
無線基地局１００１のユーザ選択部５１２は、コンポーネントキャリアＣへ、コンポーネントキャリアＡに収容される無線端末をハンドオーバさせるように制御する際に、無線基地局１００２へ、ＵＥパラメータを通知する。無線基地局１００２のユーザ選択部５１２は、無線基地局１００１からのＵＥパラメータに従って、コンポーネントキャリアＣへ、コンポーネントキャリアＡに収容された無線端末をハンドオーバさせる。
【０２６８】
また、無線基地局１００１のユーザ選択部５１２は、コンポーネントキャリアＢへ、コンポーネントキャリアＡに収容される無線端末をハンドオーバさせるように制御する。
【０２６９】
ステップＳ３５２０では、コンポーネントキャリアＡを停止、又は電力を低下させるように制御する。
【０２７０】
また、他の無線基地局のコンポーネントキャリアの電力を停止させたり、低下させたりする際に、該他の無線基地局により、無線端末からの新たな接続が抑制されることが促されてもよい。
【０２７１】
具体的には、他の無線基地局は、電力を低下させたり、停止させたりするセル付近のセルで、最大送信電力が制限されていないセルを表す情報を含む報知情報を送信するようにしてもよい。該報知情報を受信した無線端末は、電力が制限されている該他の無線基地局のセルへの接続を抑制することが想定される。
【０２７２】
無線端末を新規に登録することを無線基地局に抑制させるために、上位装置からの報知情報として、無線端末に通知するようにしてもよい。
【０２７３】
＜無線通信システムの動作（その６）＞
図３６は、無線通信システムの動作の一実施例を示す。
【０２７４】
ステップＳ３６０２−Ｓ３６０６は、図３０のステップＳ３００２−Ｓ３００６と同様である。
【０２７５】
ステップＳ３６０８では、ステップＳ３６０６によりコンポーネントキャリアＡで収容可能と判定された場合、無線基地局１００１のユーザ選択部５１２は、コンポーネントキャリアＢへの無線端末の新規登録を抑制する。
【０２７６】
ステップＳ３６１０では、無線基地局１００１のユーザ選択部５１２は、コンポーネントキャリアＡへ、コンポーネントキャリアＢに収容される無線端末をハンドオーバさせる。
【０２７７】
ステップＳ３６１２では、無線基地局１００１の動作状態制御部５０２は、コンポーネントキャリアＢを停止、又は電力を低下させるように制御する。
【０２７８】
ステップＳ３６１４では、無線基地局１００１の動作状態制御部５０２は、無線基地局１００２へ、コンポーネントキャリアＣを停止、又は電力を低下させることを指示することを示す情報を含むパラメータＤを送信する。パラメータＤには、「有効」であることを示す情報が含まれる。
【０２７９】
ステップＳ３６１６では、無線基地局１００２のユーザ選択部５１２は、コンポーネントキャリアＣへの無線端末の新規登録を抑制する。
【０２８０】
ステップＳ３６１８では、無線基地局１００１のユーザ選択部５１２は、コンポーネントキャリアＡへ、コンポーネントキャリアＣに収容される無線端末をハンドオーバさせる。
【０２８１】
ステップＳ３６２０では、無線基地局１００２の動作状態制御部５０２は、コンポーネントキャリアＣを停止、又は電力を低下させるように制御する。
【０２８２】
ステップＳ３６２２では、ステップＳ３６０６によりコンポーネントキャリアＡで収容できないと判定された場合、無線基地局１００１のユーザ選択部５１２は、コンポーネントキャリアＡへの無線端末の新規登録を抑制する。
【０２８３】
ステップＳ３６２４では、無線基地局１００１のユーザ選択部５１２は、コンポーネントキャリアＢへ、コンポーネントキャリアＡに収容された無線端末をハンドオーバさせる。また、無線基地局１００２のユーザ選択部５１２は、コンポーネントキャリアＣへ、コンポーネントキャリアＡに収容された無線端末をハンドオーバさせる。
【０２８４】
ステップＳ３６２６では、無線基地局１００１の動作状態制御部５０２は、コンポーネントキャリアＡを停止、又は電力を低下させるように制御する。
【０２８５】
上述した実施例において、動作状態制御部５０２は、消費電力と、トラフィック情報とに基づいて、セル運用形態を選択するようにしてもよい。
【０２８６】
具体的には、動作状態制御部５０２は、供給される電力に基づく演算結果に基づいて、セル運用形態の候補を求める。該演算結果は、図９において、閾値比較部７１８に入力される情報であってもよい。
【０２８７】
図３７は、セル運用形態の候補を選択する際に利用できるセル運用形態候補選択テーブルの一例を示す。
【０２８８】
図３７に示されるセル運用形態変更テーブルでは、図２３の各項を消費電力の小さい方か並べ替えて新たに項番号を付したものである。図３７において、閾値Ａ＞閾値Ｂ＞閾値Ｃ＞閾値Ｄ＞閾値Ｅ＞閾値Ｆ＞閾値Ｇである。
【０２８９】
例えば、動作状態制御部５０２は、演算結果（Ｎ）がＣ＜Ｎ≦Ｂである場合、「３項」−「８項」までのセル運用形態が節電モードに切り替えた際の候補とする。また、例えば、動作状態制御部５０２は、演算結果（Ｎ）がＥ＜Ｎ≦Ｄである場合、「５項」−「８項」までのセル運用形態が節電モードに切り替えた際の候補とする。無線基地局１００１の動作状態制御部５０２は、無線基地局１００２からのトラフィック情報に基づいて、セル運用形態の候補から、利用するセル運用形態を設定する。
【０２９０】
＜無線通信システムの動作（その７）＞
図３８は、無線通信システムの動作の一実施例を示す。
【０２９１】
無線基地局１００１、及び１００２は、上述した実施例に従って処理を行う。
【０２９２】
ステップＳ３８０２−Ｓ３８０６は、図３０のステップＳ３００２−Ｓ３００６と同様である。ステップＳ３８０８は、図３３のステップＳ３３０８と同様である。ステップＳ３８１０−Ｓ３８１４は、図３６のステップＳ３６０８−Ｓ３６１２と同様である。ステップＳ３８１６は、図３３のステップＳ３３１２と同様である。ステップＳ３８１８−Ｓ３８２２は、図３６のステップＳ３６１６−Ｓ３６２０と同様である。ステップＳ３８２４は、図３２のステップＳ３２１４と同様である。ステップＳ３８２６は、図３３のステップＳ３３１８と同様である。ステップＳ３８２８−Ｓ３８３２は、図３６のステップＳ３６２２−Ｓ３６２６と同様である。
【０２９３】
ステップＳ３８３４では、ステップＳ３８２４によりコンポーネントキャリアＣで収容できないと判定された場合、無線基地局１００１の動作状態制御部５０２は、コンポーネントキャリアＡ、及びＣの両方で収容可能か否かを判定する。
【０２９４】
ステップＳ３８３６では、ステップＳ３８３４によりコンポーネントキャリアＡ、及びＣの両方で収容可能であると判定された場合、無線基地局１００１の動作状態制御部５０２は、コンポーネントキャリアＢのトラフィックの統計情報との乖離は許容されるか否かを判定する。
【０２９５】
ステップＳ３６３８では、ステップＳ３６３６により許容されると判定された場合、無線基地局１００１のユーザ選択部５１２は、コンポーネントキャリアＢへの無線端末の新規登録を抑制する。
【０２９６】
ステップＳ３６４０では、無線基地局１００１のユーザ選択部５１２は、コンポーネントキャリアＡへ、コンポーネントキャリアＢに収容された無線端末をハンドオーバさせる。
【０２９７】
ステップＳ３６４２では、無線基地局１００１の動作状態制御部５０２は、コンポーネントキャリアＢを停止、又は電力を低下させるように制御する。
【０２９８】
ステップＳ３８３４によりコンポーネントキャリアＡ、及びＣの両方で収容できないと判定された場合、終了する。
【０２９９】
ステップＳ３６３６により許容されないと判定された場合、終了する。
【０３００】
本実施例によれば、キャリアアグリゲーションのように、複数のコンポーネントキャリアを使用してサービスを提供する際に、消費電力を低減できる。
【０３０１】
具体的には、無線基地局間又は上位からの節電モードに切り替える指示に従って、無線基地局は、節電モードに切り替えることができる。節電モードでは、所定のキャリアコンポーネントの最大送信電力を低下させる制御が行われる。節電モードでは、ダイナミックレンジの下限値が最も低いコンポーネントキャリアへの無線端末の数を増加させるスケジューリングが行われる。具体的には、ダイナミックレンジの下限値が最も低いコンポーネントキャリアへの無線端末の割り当て率を高めるようにスケジューリングが行われる。ダイナミックレンジの下限値が最も低いコンポーネントキャリアへの無線端末の割り当て率を高めることにより、無線通信システム全体のピーク電力を低減できる。
【０３０２】
また、コンポーネントキャリアで運用されるセルが複数存在する環境では、無線基地局間、又は上位の装置からの指示に従って、無線基地局は、節電モードに切り替えることができる。節電モードでは、コンポーネントキャリアを停止させたり、電力を低下させたりすることができる。さらに、電力を低下させたコンポーネントキャリアへの無線端末の数を増加させることができる。電力を低下させたコンポーネントキャリアへの無線端末の数を増加させることにより、無線通信システム全体のピーク電力を低減できる。
【０３０３】
以上の実施例を含む実施形態に関し、更に以下の付記を開示する。
（付記１）
複数のコンポーネントキャリアを使用して無線端末に対してサービスを提供する無線基地局であって、
前記無線端末との無線通信に係わるスケジューリング処理において、前記複数のコンポーネントキャリアのうち送信電力のダイナミックレンジの下限値が低いコンポーネントキャリアを前記無線端末に対して優先的に割り当てる制御部と、
前記割り当てられたコンポーネントキャリアを用いて前記無線端末に無線信号を伝送する伝送部と
を有する、無線基地局。
（付記２）
前記割り当てられたコンポーネントキャリアを用いた無線信号の伝送を開始する前に、前記割り当てられたコンポーネントキャリアに関する情報を含む設定情報を前記無線端末に送信する設定情報送信部
を有する、付記１に記載の無線基地局。
（付記３）
前記複数のコンポーネントキャリアの送信電力のダイナミックレンジの下限値を略同一とする第１の動作状態と、前記複数のコンポーネントキャリアのうち一部のコンポーネントキャリアの送信電力のダイナミックレンジの下限値を他のコンポーネントキャリアよりも低くする第２の動作状態とのいずれにすべきかを判定する動作状態判定部と、
前記第１の動作状態にある場合に前記第２の動作状態にすべきと判定されたとき、前記複数のコンポーネントキャリアのうち一部のコンポーネントキャリアの最大送信電力を低下させる送信電力制御部と、
をさらに備え、
前記制御部は、前記第２の動作状態にある場合に、前記複数のコンポーネントキャリアのうち送信電力のダイナミックレンジの下限値が低いコンポーネントキャリアを前記無線端末に対して優先的に割り当てる、付記１又は２に記載の無線基地局。
（付記４）
第１の動作状態にある場合、一つの無線端末に対して複数のコンポーネントキャリアを割り当てるキャリアアグリゲーションを用いた無線通信を許容し、第２の動作状態にある場合、前記キャリアアグリゲーションを用いた無線通信を抑制する、抑制部
を有する、付記１ないし３のいずれか１項に記載の無線基地局。
（付記５）
前記制御部は、前記複数のコンポーネントキャリアのうち送信電力のダイナミックレンジの下限値が低いコンポーネントキャリアを前記無線端末に対して優先的に割り当てる処理として、送信電力の上限である最大送信電力が低いコンポーネントキャリアを優先的に無線端末に割り当てるようにスケジューリングする、付記１ないし４のいずれか１項に記載の無線基地局。
（付記６）
上位の装置からの制御信号を受信するインタフェース
を有し、
前記動作状態判定部は、前記第２の動作状態にすべきか否かの判定において、上位の装置からの制御信号と、他の無線基地局からの制御信号と、他の無線基地局のトラフィックを表す情報とのうち少なくともいずれかを参照する、付記３に記載の無線基地局。
（付記７）
複数のコンポーネントキャリアを使用して無線端末に対してサービスを提供する無線基地局において無線信号を送受信する無線装置と接続され、前記無線信号のベースバンド成分に関する処理を行うベースバンド処理装置であって、
前記無線端末との無線通信に係わるスケジューリング処理において、前記複数のコンポーネントキャリアのうち、送信電力のダイナミックレンジの下限値が低いコンポーネントキャリアを前記無線端末に対して優先的に割り当てる制御部
を有し、
前記無線装置に、前記割り当てられたコンポーネントキャリアを用いて前記無線端末に無線信号を伝送させる、ベースバンド処理装置。
（付記８）
複数のコンポーネントキャリアを使用して無線端末に対してサービスを提供する無線基地局における制御方法であって、
前記無線端末との無線通信に係わるスケジューリング処理において、前記複数のコンポーネントキャリアのうち、送信電力のダイナミックレンジの下限値が低いコンポーネントキャリアを前記無線端末に対して優先的に割り当て、
前記割り当てられたコンポーネントキャリアを用いて前記無線端末に無線信号を伝送する制御方法。
（付記９）
前記動作状態判定部は、トラフィック情報、電力リソース情報、給電状態情報、及び外部電源供給情報の少なくとも１つに基づいて、前記第１の動作状態と、前記第２の動作状態とのいずれにすべきかを判定する、付記３に記載の無線基地局。
（付記１０）
他の無線基地局との間で通信を行うインタフェース
を有し、
前記動作状態判定部は、他の無線基地局に対して、前記第１の動作状態と、前記第２の動作状態とのいずれにすべきかを判定し、
前記インタフェースは、前記動作状態判定部により判定された結果に応じて、前記第１の動作状態と、前記第２の動作状態とのいずれかにすべきことを通知する、付記３に記載の無線基地局。
（付記１１）
前記動作状態判定部は、前記他の無線基地局に対して、前記第２の動作状態にすべきと判定した際に、送信電力のダイナミックレンジの下限値を低くするコンポネントキャリアに在圏する無線装置をハンドオーバさせるように制御する、付記１０に記載の無線基地局。
（付記１２）
複数のコンポーネントキャリアを使用して無線端末に対してサービスを提供する無線基地局で利用できる半導体集積回路であって、
前記無線端末との無線通信に係わるスケジューリング処理において、前記複数のコンポーネントキャリアのうち送信電力のダイナミックレンジの下限値が低いコンポーネントキャリアを前記無線端末に対して優先的に割り当てるプロセッサ
を有する、半導体集積回路。
（付記１３）
無線端末と、複数のコンポーネントキャリアを使用して無線端末に対してサービスを提供する無線基地局とを有する無線通信システムであって、
前記無線端末は、
前記無線基地局へ、下りリンクの信号の受信品質を通知し、
前記無線基地局は、
前記無線端末との無線通信に係わるスケジューリング処理において、前記無線端末からの下りリンクの信号の受信品質に基づいて、前記複数のコンポーネントキャリアのうち送信電力のダイナミックレンジの下限値が低いコンポーネントキャリアを前記無線端末に対して優先的に割り当てる制御部と、
前記割り当てられたコンポーネントキャリアを用いて前記無線端末に無線信号を伝送する伝送部と
を有する、無線通信システム。
【符号の説明】
【０３０４】
１０  無線基地局
１００、１００１、１００２  無線基地局
１０１  インタフェース
１０２  ＣＰＵ
１０４１、１０４２、１０４３  無線制御装置
１０６１、１０６２、１０６３  ＤＳＰ
１０８１、１０８２、１０８３  ＣＰＵ
１０９１、１０９２、１０９３  記憶部
１１０１、１１０２、１１０３  ＩＦ
１１２１、１１２２、１１２３  無線装置
１１４１、１１４２、１１４３  ＩＦ
１１６１、１１６２、１１６３  無線モジュール
１１８１、１１８２、１１８３  アンテナ
１１６１１、１１６１２、１１６１３、１１６１４  コアプロセッサ
１１６２１、１１６２２、１１６２３、１１６２４  コアプロセッサ
１１６３１、１１６３２、１１６３３、１１６３４  コアプロセッサ
１０８１１、１０８１２、１０８１３  １０８１４  コアプロセッサ
１１８２１、１１８２２、１１８２３、１１８２４  コアプロセッサ
１１８３１、１１８３２、１１８３３、１１８３４  コアプロセッサ
２００  無線端末
５０２  動作状態制御部
５０４  スケジューラ
５０６  コンポーネントキャリアＡ送信電力制御部
５０８  コンポーネントキャリアＢ送信電力制御部
５１０  コンポーネントキャリア選択部
５１２、５１２１、５１２２、５１２３  ユーザ選択部
５１４１、５１４２、５１４３  チャネルコーディング部
５１６１、５１６２、５１６３  ＯＦＤＭ信号生成部
５１８１、５１８２、５１８３  チャネルデコーディング部
５２０１、５２０２、５２０３  ＳＣ−ＦＤＭＡデコード部
５２２  コンポーネントキャリア判定部
７００  節電モード切替判定回路
７０２、７０４、７０８、７１０、７１２、７１４  乗算部
７０６  ウェイト選択部
７１６  加算部
７１８  閾値比較部
２００  無線端末
【図１】
0005842698.tif 000002
【図２】
0005842698.tif 000003
【図３】
0005842698.tif 000004
【図４】
0005842698.tif 000005
【図５】
0005842698.tif 000006
【図６】
0005842698.tif 000007
【図７】
0005842698.tif 000008
【図８】
0005842698.tif 000009
【図９】
0005842698.tif 000010
【図１０】
0005842698.tif 000011
【図１１】
0005842698.tif 000012
【図１２】
0005842698.tif 000013
【図１３】
0005842698.tif 000014
【図１４】
0005842698.tif 000015
【図１５】
0005842698.tif 000016
【図１６】
0005842698.tif 000017
【図１７】
0005842698.tif 000018
【図１８】
0005842698.tif 000019
【図１９】
0005842698.tif 000020
【図２０】
0005842698.tif 000021
【図２１】
0005842698.tif 000022
【図２２】
0005842698.tif 000023
【図２３】
0005842698.tif 000024
【図２４】
0005842698.tif 000025
【図２５】
0005842698.tif 000026
【図２６】
0005842698.tif 000027
【図２７】
0005842698.tif 000028
【図２８】
0005842698.tif 000029
【図２９】
0005842698.tif 000030
【図３０】
0005842698.tif 000031
【図３１】
0005842698.tif 000032
【図３２】
0005842698.tif 000033
【図３３】
0005842698.tif 000034
【図３４】
0005842698.tif 000035
【図３５】
0005842698.tif 000036
【図３６】
0005842698.tif 000037
【図３７】
0005842698.tif 000038
【図３８】
0005842698.tif 000039